(57)【要約】  本発明は、無線通信システムにおいて、ＮＲ（Ｎｅｗ  Ｒａｄｉｏ  Ａｃｃｅｓｓ  Ｔｅｃｈｎｏｌｏｇｙ）端末の信号送受信の方法及び装置に関する。ＰＤＣＣＨオーダー（Ｐｈｙｓｉｃａｌ  Ｄｏｗｎｌｉｎｋ  Ｃｏｎｔｒｏｌ  ＣＨａｎｎｅｌ  ｏｒｄｅｒ）を確認するステップと、ＰＤＣＣＨオーダーが確認された場合、ランダムアクセスの過程（ｒａｎｄｏｍ  ａｃｃｅｓｓ  ｐｒｏｃｅｄｕｒｅ）を開始（ｉｎｉｔｉａｔｅ）するステップを含み、ランダムアクセスの過程は、第１の上りリンクキャリア及び第２の上りリンクキャリアが設定された場合、第１の上りリンクキャリア及び第２の上りリンクキャリアのうち、ＰＤＣＣＨオーダーに関連する指示子に対応する特定の上りリンクキャリアを介してランダムアクセスプリアンブル（Ｒａｎｄｏｍ  Ａｃｃｅｓｓ  Ｐｒｅａｍｂｌｅ）を送信するように設定されることを特徴とする。【選択図】図１２
2020529786.tif 000002
【特許請求の範囲】
【請求項１】
無線通信システムにおいて、ＮＲ（Ｎｅｗ  Ｒａｄｉｏ  Ａｃｃｅｓｓ  Ｔｅｃｈｎｏｌｏｇｙ）端末の信号送受信の方法であって、
ＰＤＣＣＨオーダー（Ｐｈｙｓｉｃａｌ  Ｄｏｗｎｌｉｎｋ  Ｃｏｎｔｒｏｌ  ＣＨａｎｎｅｌ  ｏｒｄｅｒ）を確認するステップと、
前記ＰＤＣＣＨオーダーが確認された場合、ランダムアクセスの過程（ｒａｎｄｏｍ  ａｃｃｅｓｓ  ｐｒｏｃｅｄｕｒｅ）を開始（ｉｎｉｔｉａｔｅ）するステップを含み、
前記ランダムアクセスの過程は、
第１の上りリンクキャリア及び第２の上りリンクキャリアが設定された場合、前記第１の上りリンクキャリア及び前記第２の上りリンクキャリアのうち、前記ＰＤＣＣＨオーダーに関連する指示子に対応する特定の上りリンクキャリアを介してランダムアクセスプリアンブル（Ｒａｎｄｏｍ  Ａｃｃｅｓｓ  Ｐｒｅａｍｂｌｅ）を送信するように設定されることを特徴とする、信号送受信の方法。
【請求項２】
前記第２の上りリンクキャリアは、
さらに、前記ＮＲ端末に対して割り当てられたＬＴＥ帯域（Ｌｏｎｇ  Ｔｅｒｍ  Ｅｖｏｌｕａｔｉｏｎ  ｂａｎｄ）である追加ＵＬ（ｓｕｐｐｌｅｍｅｎｔａｌ  ＵＬ）であることを特徴とする、請求項１に記載の信号送受信の方法。
【請求項３】
前記ランダムアクセスの過程は、
第１の上りリンクキャリア及び第２の上りリンクキャリアが設定されない場合、
上位層を介して開始された（ｉｎｉｔｉａｔｅｄ）ランダムアクセスプリアンブル送信と同一の副搬送波間隔（ｓｕｂｃａｒｒｉｅｒ  ｓｐａｃｉｎｇ）によってランダムアクセスプリアンブル（Ｒａｎｄｏｍ  Ａｃｃｅｓｓ  Ｐｒｅａｍｂｌｅ）を送信するように設定されることを特徴とする、請求項１に記載の信号送受信の方法。
【請求項４】
さらに、上りリンク送信のための時間リソース又は周波数リソースのうち少なくとも１つが設定されるステップを含む、請求項１に記載の信号送受信の方法。
【請求項５】
さらに、上りリンク送信のためのパラメータを受信するステップを含む、請求項１に記載の信号送受信の方法。
【請求項６】
前記ＰＤＣＣＨオーダーは、
下りリンク制御情報を用いて受信されることを特徴とする、請求項１に記載の信号送受信の方法。
【請求項７】
無線通信システムにおいて、ＮＲ（Ｎｅｗ  Ｒａｄｉｏ  Ａｃｃｅｓｓ  Ｔｅｃｈｎｏｌｏｇｙ）端末であって、
無線周波数ユニットと、
前記無線周波数ユニットと結合したプロセッサーを含み、
前記プロセッサーは、
ＰＤＣＣＨオーダー（Ｐｈｙｓｉｃａｌ  Ｄｏｗｎｌｉｎｋ  Ｃｏｎｔｒｏｌ  ＣＨａｎｎｅｌ  ｏｒｄｅｒ）を確認して、前記ＰＤＣＣＨオーダー（Ｐｈｙｓｉｃａｌ  Ｄｏｗｎｌｉｎｋ  Ｃｏｎｔｒｏｌ  ＣＨａｎｎｅｌ  ｏｒｄｅｒ）が確認された場合、ランダムアクセスの過程（ｒａｎｄｏｍ  ａｃｃｅｓｓ  ｐｒｏｃｅｄｕｒｅ）を開始（ｉｎｉｔｉａｔｅ）するように構成され、
前記ランダムアクセスの過程は、
第１の上りリンクキャリア及び第２の上りリンクキャリアが設定された場合、前記第１の上りリンクキャリア及び前記第２の上りリンクキャリアのうち、前記ＰＤＣＣＨオーダーに関連する指示子に対応する特定の上りリンクキャリアを介してランダムアクセスプリアンブル（Ｒａｎｄｏｍ  Ａｃｃｅｓｓ  Ｐｒｅａｍｂｌｅ）を送信するように設定されることを特徴とする、ＮＲ端末。
【請求項８】
前記第２の上りリンクキャリアは、
さらに、前記ＮＲ端末に対して割り当てられたＬＴＥ帯域（Ｌｏｎｇ  Ｔｅｒｍ  Ｅｖｏｌｕａｔｉｏｎ  ｂａｎｄ）である追加ＵＬ（ｓｕｐｐｌｅｍｅｎｔａｌ  ＵＬ）であることを特徴とする、請求項７に記載のＮＲ端末。
【請求項９】
前記ランダムアクセスの過程は、
第１の上りリンクキャリア及び第２の上りリンクキャリアが設定されない場合、
上位層を介して開始された（ｉｎｉｔｉａｔｅｄ）ランダムアクセスプリアンブル送信と同一の副搬送波間隔（ｓｕｂｃａｒｒｉｅｒ  ｓｐａｃｉｎｇ）によってランダムアクセスプリアンブル（Ｒａｎｄｏｍ  Ａｃｃｅｓｓ  Ｐｒｅａｍｂｌｅ）を送信するように設定されることを特徴とする、請求項７に記載のＮＲ端末。
【請求項１０】
前記プロセッサーは、
さらに、上りリンク送信のための時間リソース又は周波数リソースのうち少なくとも１つが設定されるように構成された、請求項７に記載のＮＲ端末。
【請求項１１】
前記プロセッサーは、
さらに、上りリンク送信のためのパラメータを受信するように構成された、請求項７に記載のＮＲ端末。
【請求項１２】
前記ＰＤＣＣＨオーダーは、
下りリンク制御情報を用いて受信されることを特徴とする、請求項７に記載のＮＲ端末。
【発明の詳細な説明】
【技術分野】
【０００１】
本発明は、無線通信システムに関し、より詳細には、無線通信システムにおいてＬＴＥ及びＮＲに基づいた信号の送受信方法並びにそのための装置に関する。
【背景技術】
【０００２】
無線接続システムが音声やデータなどの種々の通信サービスを提供するために広範囲に展開されている。一般に、無線接続システムは可用なシステムリソース（帯域幅、送信電力など）を共有して複数のユーザとの通信を支援できる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００３】
また、より多い通信機器がより大きい通信容量を要求することにより、既存の無線接続技術（ｒａｄｉｏ  ａｃｃｅｓｓ  ｔｅｃｈｎｏｌｏｇｙ）に比べて向上したモバイル広帯域（ｍｏｂｉｌｅ  ｂｒｏａｄｂａｎｄ）通信に対する必要性が台頭しつつある。また、複数の機器及びモノを連結していつでもどこでも様々なサービスを提供する大規模ＭＴＣ（ｍａｓｓｉｖｅ  Ｍａｃｈｉｎｅ  Ｔｙｐｅ  Ｃｏｍｍｕｎｉｃａｔｉｏｎｓ）が次世代通信において考慮すべき重要なイッシュの１つである。のみならず、信頼性（ｒｅｌｉａｂｉｌｉｔｙ）及び遅延速度（ｌａｔｅｎｃｙ）に敏感なサービス／ＵＥを考慮した通信システムデザインが論議されている。
【０００４】
このように向上したモバイル広帯域通信（ｅｎｈａｎｃｅｄ  ｍｏｂｉｌｅ  ｂｒｏａｄｂａｎｄ  ｃｏｍｍｕｎｉｃａｔｉｏｎ）、大規模（ｍａｓｓｉｖｅ）ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線接続技術（ｒａｄｉｏ  ａｃｃｅｓｓ  ｔｅｃｈｎｏｌｏｇｙ）の導入が論議されており、本発明では、便宜のために、当該技術をＮＲと呼ぶ。
【発明の概要】
【発明が解決しようとする課題】
【０００５】
上述のような論議に基づいて、以下、無線通信システムにおいてＬＥＴ及びＮＲに基づいた信号送受信の方法並びにそのための装置を提案しようとする。
【０００６】
本発明で遂げようとする技術的課題は、上記の技術的課題に制限されず、言及していない他の技術的課題は、以下の記載から、本発明の属する技術の分野における通常の知識を有する者には明確に理解されるであろう。
【課題を解決するための手段】
【０００７】
上述した問題点を解決するための本発明の一態様によれば、無線通信システムにおいて、ＮＲ（Ｎｅｗ  Ｒａｄｉｏ  Ａｃｃｅｓｓ  Ｔｅｃｈｎｏｌｏｇｙ）端末の信号送受信の方法は、ＰＤＣＣＨオーダー（Ｐｈｙｓｉｃａｌ  Ｄｏｗｎｌｉｎｋ  Ｃｏｎｔｒｏｌ  ＣＨａｎｎｅｌ  ｏｒｄｅｒ）を確認するステップと、前記ＰＤＣＣＨオーダーが確認される場合、ランダムアクセスの過程（ｒａｎｄｏｍ  ａｃｃｅｓｓ  ｐｒｏｃｅｄｕｒｅ）を開始（ｉｎｉｔｉａｔｅ）するステップを含み、前記ランダムアクセスの過程は、第１の上りリンクキャリア及び第２の上りリンクキャリアが設定された場合、前記第１の上りリンクキャリア及び前記第２の上りリンクキャリアのうち、前記ＰＤＣＣＨオーダーに関連する指示子に対応する特定の上りリンクキャリアを介してランダムアクセスプリアンブル（Ｒａｎｄｏｍ  Ａｃｃｅｓｓ  Ｐｒｅａｍｂｌｅ）を送信するように設定されることを特徴とする。
【０００８】
また、前記第２の上りリンクキャリアは、さらに、前記ＮＲ端末に対して割り当てられたＬＴＥ帯域（Ｌｏｎｇ  Ｔｅｒｍ  Ｅｖｏｌｕａｔｉｏｎ  ｂａｎｄ）である追加ＵＬ（ｓｕｐｐｌｅｍｅｎｔａｌ  ＵＬ）であることを特徴とすることができる。
【０００９】
また、前記ランダムアクセスの過程は、第１の上りリンクキャリア及び第２の上りリンクキャリアが設定されない場合、上位層を介して開始された（ｉｎｉｔｉａｔｅｄ）ランダムアクセスプリアンブル送信と同一の副搬送波間隔（ｓｕｂｃａｒｒｉｅｒ  ｓｐａｃｉｎｇ）によってランダムアクセスプリアンブル（Ｒａｎｄｏｍ  Ａｃｃｅｓｓ  Ｐｒｅａｍｂｌｅ）を送信するように設定されることを特徴とすることができる。
【００１０】
また、さらに、上りリンク送信のための時間リソース又は周波数リソースのうち少なくとも１つが設定されるステップを含むか、上りリンク送信のためのパラメータを受信するステップを含むことを特徴とすることができる。
【００１１】
また、前記ＰＤＣＣＨオーダーは、下りリンク制御情報を用いて受信されることを特徴とすることができる。
【００１２】
上述した問題点を解決するための本発明の別の態様によれば、無線通信システムにおいて、ＮＲ（Ｎｅｗ  Ｒａｄｉｏ  Ａｃｃｅｓｓ  Ｔｅｃｈｎｏｌｏｇｙ）端末は、無線周波数ユニットと、前記無線周波数ユニットと結合したプロセッサーを含み、前記プロセッサーは、ＰＤＣＣＨオーダー（Ｐｈｙｓｉｃａｌ  Ｄｏｗｎｌｉｎｋ  Ｃｏｎｔｒｏｌ  ＣＨａｎｎｅｌ  ｏｒｄｅｒ）を確認して、前記ＰＤＣＣＨオーダーが確認される場合、ランダムアクセスの過程（ｒａｎｄｏｍ  ａｃｃｅｓｓ  ｐｒｏｃｅｄｕｒｅ）を開始（ｉｎｉｔｉａｔｅ）するように構成され、前記ランダムアクセスの過程は、第１の上りリンクキャリア及び第２の上りリンクキャリアが設定された場合、前記第１の上りリンクキャリア及び前記第２の上りリンクキャリアのうち、前記ＰＤＣＣＨオーダーに関連する指示子に対応する特定の上りリンクキャリアを介してランダムアクセスプリアンブル（Ｒａｎｄｏｍ  Ａｃｃｅｓｓ  Ｐｒｅａｍｂｌｅ）を送信するように設定されることを特徴とする。
【発明の効果】
【００１３】
本発明の実施例によれば、無線通信システムにおいて、ＬＴＥ及びＮＲに基づいた信号の送受信を効率的に行うことができる。
【００１４】
本発明から得られる効果は、以上で言及した効果に制限されず、言及していない別の効果は、以下の記載から、本発明の属する技術の分野における通常の知識を有する者には明確に理解されるであろう。
【図面の簡単な説明】
【００１５】
発明に関する理解を助けるために詳細な説明の一部として含まれる添付の図面は、本発明に関する実施例を提供し、詳細な説明と共に本発明の技術的思想を説明する。
【００１６】
【図１】無線通信システムの一例であって、Ｅ−ＵＭＴＳ網構造を概略的に例示する図である。
【図２】３ＧＰＰ無線接続網規格に基づいた端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の制御平面（Ｃｏｎｔｒｏｌ  Ｐｌａｎｅ）及びユーザ平面（Ｕｓｅｒ  Ｐｌａｎｅ）の構造を例示する図である。
【図３】３ＧＰＰシステムに用いられる物理チャンネル及びこれらを用いた一般的な信号送信方法を例示する図である。
【図４】ＬＴＥシステムにおいて用いられる無線フレームの構造を例示する図である。
【図５】下りリンクスロットに対するリソースグリッド（ｒｅｓｏｕｒｃｅ  ｇｒｉｄ）を例示する図である。
【図６】ＬＴＥシステムにおいて用いられる下りリンク無線フレームの構造を例示する図である。
【図７】ＬＴＥシステムにおいて用いられる上りリンクサブフレームの構造を例示する図である。
【図８】ＮＲシステムにおいて自己完結型スロット構造（Ｓｅｌｆ−ｃｏｎｔａｉｎｅｄ  ｓｌｏｔ  ｓｔｒｕｃｔｕｒｅ）を説明するための参考図である。
【図９】ＴＸＲＵ（Ｔｒａｎｓｃｅｉｖｅｒ  Ｕｎｉｔ）とアンテナ要素（ａｎｔｅｎｎａ  ｅｌｅｍｅｎｔ）との連結方式を説明するための参考図である。
【図１０】ＴＸＲＵ（Ｔｒａｎｓｃｅｉｖｅｒ  Ｕｎｉｔ）とアンテナ要素（ａｎｔｅｎｎａ  ｅｌｅｍｅｎｔ）との連結方式を説明するための参考図である。
【図１１】ハイブリッドビームフォーミングを説明するための参考図である。
【図１２】本発明の一実施例に適用可能な基地局及び端末を示す図である。
【発明を実施するための形態】
【００１７】
本発明が適用可能な無線通信システムの一例であって、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ，以下「ＬＴＥ」という）通信システムに関して概略的に説明する。
【００１８】
図１は、無線通信システムの一例であって、Ｅ−ＵＭＴＳ網構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）システムは、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在の３ＧＰＰにおいて基礎的な標準化作業を進んでいる。一般に、Ｅ−ＵＭＴＳはＬＴＥ（Ｌｏｎｇ  Ｔｅｒｍ  Ｅｖｏｌｕｔｉｏｎ）システムともいえる。ＵＭＴＳ及びＥ−ＵＭＴＳの技術規格（ｔｅｃｈｎｉｃａｌ  ｓｐｅｃｉｆｉｃａｔｉｏｎ）の詳細な内容のそれぞれは、「３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【００１９】
図１を参照すれば、Ｅ−ＵＭＴＳは端末（Ｕｓｅｒ  Ｅｑｕｉｐｍｅｎｔ，ＵＥ）と基地局（ｅＮｏｄｅ  Ｂ、ｅＮＢ、ネットワーク（Ｅ−ＵＴＲＡＮ）の終端に位置して、外部ネットワークと連結される接続ゲートウェイ（Ａｃｃｅｓｓ  Ｇａｔｅｗａｙ，ＡＧ）を含む。基地局はブロードキャストサービス、マルチキャストサービス及び／又はユニキャストサービスのために多重データストリームを同時に送信することができる。
【００２０】
１つの基地局には１つ以上のセルが存在する。セルは、１．２５，２．５，５，１０，１５，２０Ｍｈｚなどの帯域幅のうち１つと設定され、複数の端末に下り又は上り送信サービスを提供する。互いに異なるセルは、互いに異なる帯域幅を提供するように設定されてもよい。基地局は複数の端末に対するデータの送受信を制御する。下りリンク（Ｄｏｗｎｌｉｎｋ，ＤＬ）データに対して基地局は、下りリンクスケジューリング情報を送信して、当該端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）に関する情報などを通知する。また、上りリンク（Ｕｐｌｉｎｋ，ＵＬ）データに対して基地局は、上りリンクスケジューリング情報を当該端末に送信して、当該端末が使用可能な時間／周波数領域、符号化、データサイズ、ＨＡＲＱに関する情報などを通知する。基地局間にはユーザトラフィック又は制御トラフィック送信のためのインターフェースが用いられる。核心網（Ｃｏｒｅ  Ｎｅｔｗｏｒｋ，ＣＮ）はＡＧと端末のユーザ登録などのためのネットワークノードなどで構成されてもよい。ＡＧは複数のセルで構成されるＴＡ（Ｔｒａｃｋｉｎｇ  Ａｒｅａ）単位で端末の移動性を管理する。
【００２１】
無線通信技術は、ＷＣＤＭＡに基づいてＬＴＥまで開発してきたが、ユーザと事業者の要求や期待は持続に増加している。また、他の無線接続技術の開発が続いているため、今後、競争力を持つためには、新たな技術の進化が求められる。ビット当たりコスト減少、サービス可用性増大、融通性のある周波数帯域の利用、単純な構造及び開放型インターフェース、端末の適切なパワー消耗などが求められる。
【００２２】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ ＬＴＥの進化したバージョンである。
【００２３】
説明を明確にするために、３ＧＰＰ  ＬＴＥ／ＬＴＥ−Ａを中心に記述するが、本発明の技術的思想がこれに制限されるわけではない。また、以下の説明で使われる特定用語は、本発明の理解を助けるために提供されるものであり、このような特定用語の使用は、本発明の技術的思想から逸脱しない範囲で他の形態に変更することもできる。
【００２４】
図２は、３ＧＰＰ無線接続網規格に基づいた端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の制御平面（Ｃｏｎｔｒｏｌ  Ｐｌａｎｅ）及びユーザ平面（Ｕｓｅｒ  Ｐｌａｎｅ）の構造を示す図である。制御平面は端末（Ｕｓｅｒ  Ｅｑｕｉｐｍｅｎｔ；ＵＥ）とネットワークが呼を管理するために利用する制御メッセジーが送信される通路を意味する。ユーザ平面はアプリケーション層において生成されたデータ、例えば、音声データ又はインターネットパケットデータなどが送信される通路を意味する。
【００２５】
第１の階層である物理層は、物理チャンネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは送信チャンネル（Ｔｒａｎｓ  Ａｎｔｅｎｎａ  Ｐｏｒｔ  Ｃｈａｎｎｅｌ）を介して連結されている。この送信チャンネルを介して媒体接続制御層と物理層との間にデータが移動する。送信側と受信側の物理層の間は物理チャンネルを介してデータが移動する。物理チャンネルは時間と周波数を無線リソースとして活用する。具体的に、物理チャンネルは下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２６】
第２の階層の媒体接続制御（Ｍｅｄｉｕｍ  Ａｃｃｅｓｓ  Ｃｏｎｔｒｏｌ；ＭＡＣ）層は、論理チャンネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の階層のＲＬＣ層は信頼性のあるデータ送信を支援する。ＲＬＣ層の機能は、ＭＡＣ内部の機能ブロックで具現されてもよい。第２の階層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースにおいてＩＰｖ４やＩＰｖ６のようなＩＰパケットを効率的に送信するために、不要な制御情報を減らすヘッダ圧縮（Ｈｅａｄｅｒ  Ｃｏｍｐｒｅｓｓｉｏｎ）機能を行う。
【００２７】
第３の階層の最下部に位置した無線リソース制御（Ｒａｄｉｏ  Ｒｅｓｏｕｒｃｅ  Ｃｏｎｔｒｏｌ；ＲＲＣ）層は制御平面でのみ定義される。ＲＲＣ層は、無線ベアラ（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャンネル、送信チャンネル及び物理チャンネルの制御を担当する。ＲＢは、端末とネットワークとのデータ伝達のために第２の階層によって提供されるサービスを意味する。そのために、端末とネットワークのＲＲＣ層は、互いにＲＲＣメッセージを交換する。端末とネットワークのＲＲＣ層との間にＲＲＣ連結（ＲＲＣ  Ｃｏｎｎｅｃｔｅｄ）がある場合、端末はＲＲＣ連結状態（Ｃｏｎｎｅｃｔｅｄ  Ｍｏｄｅ）となり、そうではない場合には、ＲＲＣ休止状態（Ｉｄｌｅ  Ｍｏｄｅ）となる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を行う。
【００２８】
基地局（ｅＮＢ）を構成する１つのセルは、１．４，３，５，１０，１５，２０Ｍｈｚなどの帯域幅のうち１つに設定されて、複数の端末に下り又は上り送信サービスを提供する。互いに異なるセルは、互いに異なる帯域幅を提供するように設定されてもよい。
【００２９】
ネットワークから端末にデータを送信する下り送信チャンネルは、システム情報を送信するＢＣＨ（Ｂｒｏａｄｃａｓｔ  Ｃｈａｎｎｅｌ）、ページングメッセジーを送信するＰＣＨ（Ｐａｇｉｎｇ  Ｃｈａｎｎｅｌ）、ユーザトラフィックや制御メッセジーを送信する下りＳＣＨ（Ｓｈａｒｅｄ  Ｃｈａｎｎｅｌ）などがある。下りマルチキャスト又は放送サービスのトラフィック又は制御メッセジーの場合、下りＳＣＨを介して送信されてもよく、別の下りＭＣＨ（Ｍｕｌｔｉｃａｓｔ  Ｃｈａｎｎｅｌ）を介して送信されてもよい。一方、端末からネットワークにデータを送信する上り送信チャンネルとしては、初期制御メッセジーを送信するＲＡＣＨ（Ｒａｎｄｏｍ  Ａｃｃｅｓｓ  Ｃｈａｎｎｅｌ）、ユーザトラフィックや制御メッセジーを送信する上りＳＣＨ（Ｓｈａｒｅｄ  Ｃｈａｎｎｅｌ）がある。送信チャンネルの上位にあり、送信チャンネルにマップされる論理チャンネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３０】
図３は、３ＧＰＰ  ＬＴＥシステムに用いられる物理チャンネル及びこれらを用いた一般的な信号送信の方法を説明するための図である。
【００３１】
電源が消えた状態で電源がついたり、新しくセルに進入したりしたユーザ機器は、Ｓ３１０において、基地局と同期を取るなどの初期セル探索（Ｉｎｉｔｉａｌ  ｃｅｌｌ  ｓｅａｒｃｈ）作業を行う。そのために、ユーザ機器は基地局から主同期チャンネル（Ｐｒｉｍａｒｙ  Ｓｙｎｃｈｒｏｎｉｚａｔｉｏｎ  Ｃｈａｎｎｅｌ，Ｐ−ＳＣＨ）及び副同期チャンネル（Ｓｅｃｏｎｄａｒｙ  Ｓｙｎｃｈｒｏｎｉｚａｔｉｏｎ  Ｃｈａｎｎｅｌ，Ｓ−ＳＣＨ）を受信して基地局と同期を取り、セルＩＤなどの情報を取得する。その後、ユーザ機器は基地局から物理放送チャンネル（Ｐｈｙｓｉｃａｌ  Ｂｒｏａｄｃａｓｔ  Ｃｈａｎｎｅｌ，ＰＢＣＨ）信号を受信してセル内放送情報を取得することができる。一方、ユーザ機器は初期セル探索段階で下りリンク参照信号（Ｄｏｗｎｌｉｎｋ  Ｒｅｆｅｒｅｎｃｅ  Ｓｉｇｎａｌ，ＤＬ  ＲＳ）を受信して下りリンクチャンネル状態を確認することができる。
【００３２】
初期セル探索を終えた端末は、Ｓ３０２において、物理下りリンク制御チャンネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）、及び物理下りリンク制御チャンネル情報による物理下りリンク共有チャンネル（Ｐｈｙｓｉｃａｌ  Ｄｏｗｎｌｉｎｋ  Ｃｏｎｔｒｏｌ  Ｃｈａｎｎｅｌ，ＰＤＳＣＨ）を受信して、より具体的なシステム情報を取得することができる。
【００３３】
その後、ユーザ機器は基地局への接続を完了するために、その後、Ｓ３０３〜Ｓ３０６のようなランダムアクセスの過程（Ｒａｎｄｏｍ  Ａｃｃｅｓｓ  Ｐｒｏｃｅｄｕｒｅ）を行うことができる。そのために、端末は物理ランダムアクセスチャンネル（Ｐｈｙｓｉｃａｌ  Ｒａｎｄｏｍ  Ａｃｃｅｓｓ  Ｃｈａｎｎｅｌ，ＰＲＡＣＨ）でプリアンブル（ｐｒｅａｍｂｌｅ）を送信し（Ｓ３０３）、物理下りリンク制御チャンネル及びそれに対応する物理下りリンク共有チャンネルでプリアンブルに対する応答メッセージを受信することができる（Ｓ３０４）。競合ベースのランダムアクセスでは、更なる物理ランダムアクセスチャンネルの送信（Ｓ３０５）、及び物理下りリンク制御チャンネル及びそれに対応する物理下りリンク共有チャンネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００３４】
上述したような手順を行ったユーザ機器は、その後、一般的な上りリンク／下りリンク信号送信手順として、物理下りリンク制御チャンネル／物理下りリンク共有チャンネルの受信（Ｓ３０７）、及び物理上りリンク共有チャンネル（Ｐｈｙｓｉｃａｌ  Ｕｐｌｉｎｋ  Ｓｈａｒｅｄ  Ｃｈａｎｎｅｌ，ＰＵＳＣＨ）／物理上りリンク制御チャンネル（Ｐｈｙｓｉｃａｌ  Ｕｐｌｉｎｋ  Ｃｏｎｔｒｏｌ  Ｃｈａｎｎｅｌ，ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ，ＵＣＩ）という。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書において、ＨＡＲＱ  ＡＣＫ／ＮＡＣＫは、単にＨＡＲＱ−ＡＣＫ或いはＡＣＫ／ＮＡＣＫ（Ａ／Ｎ）と称される。ＨＡＣＫ／ＤＴＸのうち少なくとも１つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、通常、ＰＵＣＣＨで送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００３５】
図４は、ＬＴＥシステムにおいて用いられる無線フレームの構造を例示する図である。
【００３６】
図４を参照すれば、セルラーＯＦＤＭ無線パケット通信システムにおいて、上りリンク／下りリンクデータパケット送信は、サブフレーム（ｓｕｂｆｒａｍｅ）単位で行われ、１つのサブフレームは複数のＯＦＤＭシンボルを含む所定時間の区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）の構造とＴＤＤ（Ｔｉｍｅ  Ｄｉｖｉｓｉｏｎ  Ｄｕｐｌｅｘ）に適用可能なタイプ２の無線フレームの構造を支援する。
【００３７】
図４（ａ）は、タイプ１の無線フレームの構造を例示する。下りリンク無線フレーム（ｒａｄｉｏ  ｆｒａｍｅ）は１０個のサブフレーム（ｓｕｂｆｒａｍｅ）で構成され、１つのサブフレームは時間領域（ｔｉｍｅ  ｄｏｍａｉｎ）において２つのスロット（ｓｌｏｔ）で構成される。１つのサブフレームが送信されるのにかかる時間をＴＴＩ（ｔｒａｎｓｍｉｓｓｉｏｎ  ｔｉｍｅ  ｉｎｔｅｒｖａｌ）という。例えば、１つのサブフレーム長は１ｍｓであり、１つのスロット長は０．５ｍｓである。１つのスロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ  ＬＴＥシステムでは、下りリンクにおいてＯＦＤＭＡを用いるため、ＯＦＤＭシンボルが１つのシンボル区間を示す。また、ＯＦＤＭシンボルは、ＳＣ−ＦＤＭＡシンボル又はシンボル区間とも呼ばれる。リソース割り当て単位としてのリソースブロック（ＲＢ）は、１つのスロットにおいて複数の連続した副搬送波（ｓｕｂｃａｒｒｉｅｒ）を含むことができる。
【００３８】
１つのスロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なってもよい。ＣＰには拡張ＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、１つのスロットに含まれるＯＦＤＭシンボルの数は７個である。ＯＦＤＭシンボルが拡張ＣＰによって構成された場合、１つのＯＦＤＭシンボル長が長くなるため、１つのスロットに含まれるＯＦＤＭシンボルの数は、標準ＣＰの場合よりも少ない。拡張ＣＰの場合、例えば、１つのスロットに含まれるＯＦＤＭシンボルの数は６個である。ユーザ機器が早い速度で移動するなどの場合のように、チャンネル状態が不安定する場合、シンボル間の干渉をさらに減らすために拡張ＣＰが用いられてもよい。
【００３９】
標準ＣＰが用いられる場合、１つのスロットは７個のＯＦＤＭシンボルを含むため、１つのサブフレームは１４個のＯＦＤＭシンボルを含む。このとき、各々のサブフレームの最初の最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当てられ、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てられてもよい。
【００４０】
図４（ｂ）は、タイプ２の無線フレームの構造を例示する。タイプ２の無線フレームは、２つのハーフフレーム（ｈａｌｆ  ｆｒａｍｅ）で構成され、各ハーフフレームは、２つのスロットを含む４つの一般サブフレーム及びＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ，ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）で構成される。
【００４１】
特別サブフレームにおいて、ＤｗＰＴＳはユーザ機器における初期セル探索、同期化又はチャンネル推定に用いられる。ＵｐＰＴＳは基地局におけるチャンネル推定とユーザ機器の上りリンク送信の同期を取るのに用いられる。即ち、ＤｗＰＴＳは下りリンク送信に、ＵｐＰＴＳは上りリンク送信に用いられ、特に、ＵｐＰＴＳはＰＲＡＣＨプリアンブルやＳＲＳ送信の用途として活用される。また、保護区間は、上りリンクと下りリンクとの間に下りリンク信号の多重経路遅延によって上りリンクで発生する干渉を除去するための区間である。
【００４２】
特別サブフレームに関して、現在の３ＧＰＰ標準文書では、以下の表１のように設定を定義している。表１において、
2020529786.tif 000003
である場合、ＤｗＰＴＳとＵｐＰＴＳを示し、残りの領域が保護区間として設定される。
【００４３】
【表１】
2020529786.tif 000004
【００４４】
一方、タイプ２の無線フレームの構造、即ち、ＴＤＤシステムにおいて、上りリンク／下りリンクサブフレーム設定（ＵＬ／ＤＬ  ｃｏｎｆｉｇｕｒａｔｉｏｎ）は、以下の表２のようである。
【００４５】
【表２】
2020529786.tif 000005
【００４６】
表２において、Ｄは下りリンクサブフレーム、Ｕは上りリンクサブフレームを示し、Ｓは特別サブフレームを示す。また、表２は、各々のシステムにおける上りリンク／下りリンクサブフレーム設定において、下りリンク−上りリンクのスイッチング周期が示されている。
【００４７】
上述した無線フレームの構造は例示に過ぎず、無線フレームに含まれるサブフレームの数又はサブフレームに含まれたスロットの数、スロットに含まれるシンボルの数は、様々に変更できる。
【００４８】
図５は、下りリンクスロットに対するリソースグリッド（ｒｅｓｏｕｒｃｅ  ｇｒｉｄ）を例示する。
【００４９】
図５を参照すれば、下りリンクスロットは、時間領域において
2020529786.tif 000006
ＯＦＤＭシンボルを含み、周波数領域において
2020529786.tif 000007
リソースブロックを含む。各々のリソースブロックが
2020529786.tif 000008
副搬送波を含むため、下りリンクスロットは、周波数領域において
2020529786.tif 000009
副搬送波を含む。図５は、下りリンクスロットが７ＯＦＤＭシンボルを含み、リソースブロックが１２副搬送波を含むことを例示しているが、必ずしもこれには制限されない。例えば、下りリンクスロットに含まれるＯＦＤＭシンボルの数は、循環前置（Ｃｙｃｌｉｃ  Ｐｒｅｆｉｘ；ＣＰ）長によって変更されてもよい。
【００５０】
リソースグリッド上の各要素をリソース要素（Ｒｅｓｏｕｒｃｅ  Ｅｌｅｍｅｎｔ；ＲＥ）として、１つのリソース要素は、１つのＯＦＤＭシンボルインデックス及び１つの副搬送波インデックスで指示される。１つのＲＢは、
2020529786.tif 000010
リソース要素で構成されている。下りリンクスロットに含まれるリソースブロックの数
2020529786.tif 000011
は、セルにおいて設定される下りリンク送信帯域幅（ｂａｎｄｗｉｄｔｈ）に従属する。
【００５１】
図６は、下りリンクサブフレームの構造を例示する。
【００５２】
図６を参照すれば、サブフレームの第１番目のスロットにおいて前部に位置した最大３（４）個のＯＦＤＭシンボルは、制御チャンネルが割り当てられる制御領域に対応する。残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に該当する。ＬＴＥにおいて用いられる下りリンク制御チャンネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨはサブフレームの第１番目のＯＦＤＭシンボルから送信され、サブフレームにおいて制御チャンネルの送信に用いられるＯＦＤＭシンボルの数に関する情報を運ぶ。ＰＨＩＣＨは上りリンク送信に対応する応答としてＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００５３】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と称する。ＤＣＩはユーザ機器又はユーザ機器グループのためのリソース割り当て情報及び他の制御情報を含む。例えば、ＤＣＩは上り／下りリンクスケジューリング情報、上りリンク送信（Ｔｘ）パワー制御命令などを含む。
【００５４】
ＰＤＣＣＨは下りリンク共有チャンネル（ｄｏｗｎｌｉｎｋ  ｓｈａｒｅｄ  ｃｈａｎｎｅｌ，ＤＬ−ＳＣＨ）の送信フォーマット及びリソース割り当て情報、上りリンク共有チャンネル（ｕｐｌｉｎｋ  ｓｈａｒｅｄ  ｃｈａｎｎｅｌ，ＵＬ−ＳＣＨ）の送信フォーマット及びリソース割り当て情報、ページングチャンネル（ｐａｇｉｎｇ  ｃｈａｎｎｅｌ，ＰＣＨ）上のページング情報、ＤＬ−ＳＣＨ上のシステム情報、ＰＤＳＣＨ上から送信されるランダム接続応答のような上位層制御メッセジーのリソース割り当て情報、ユーザ機器グループ内の個別ユーザ機器に対するＴｘパワー制御命令セット、Ｔｘパワー制御命令、ＶｏＩＰ（Ｖｏｉｃｅ  ｏｖｅｒ  ＩＰ）の活性化指示情報などを運ぶ。複数のＰＤＣＣＨが制御領域内で送信されることができる。ユーザ機器は複数のＰＤＣＣＨをモニタリングすることができる。ＰＤＣＣＨは１つ又は複数の連続した制御チャンネル要素（ｃｏｎｔｒｏｌ  ｃｈａｎｎｅｌ  ｅｌｅｍｅｎｔ，ＣＣＥ）の集合（ａｇｇｒｅｇａｔｉｏｎ）上から送信される。ＣＣＥはＰＤＣＣＨに無線チャンネル状態に基づいたコーディングレートを提供するのに用いられる論理的割り当てユニットである。ＣＣＥは複数のリソース要素グループ（ｒｅｓｏｕｒｃｅ  ｅｌｅｍｅｎｔ  ｇｒｏｕｐ，ＲＥＧ）に対応する。ＰＤＣＣＨのフォーマット及びＰＤＣＣＨビット数は、ＣＣＥの数によって決定される。基地局はユーザ機器に送信されるＤＣＩによってＰＤＣＣＨフォーマットを決定して、制御情報にＣＲＣ（ｃｙｃｌｉｃ  ｒｅｄｕｎｄａｎｃｙ  ｃｈｅｃｋ）を付加する。ＣＲＣはＰＤＣＣＨの所有者又は使用目的に応じて識別子（例えば、ＲＮＴＩ（ｒａｄｉｏ  ｎｅｔｗｏｒｋ  ｔｅｍｐｏｒａｒｙ  ｉｄｅｎｔｉｆｉｅｒ））でマスクされる。例えば、ＰＤＣＣＨが特定のユーザ機器のためのものである場合、当該ユーザ機器の識別子（例えば、ｃｅｌｌ−ＲＮＴＩ（Ｃ−ＲＮＴＩ））がＣＲＣにマスクされてもよい。ＰＤＣＣＨがページングメッセジーのためのものである場合、ページング識別子（例えば、ｐａｇｉｎｇ−ＲＮＴＩ（Ｐ−ＲＮＴＩ））がＣＲＣにマスクされてもよい。ＰＤＣＣＨがシステム情報（より具体的に、システム情報ブロック（ｓｙｓｔｅｍ  Ｉｎｆｏｒｍａｔｉｏｎ  ｂｌｏｃｋ，ＳＩＣ））のためのものである場合、ＳＩ−ＲＮＴＩ（ｓｙｓｔｅｍ  Ｉｎｆｏｒｍａｔｉｏｎ  ＲＮＴＩ）がＣＲＣにマスクされてもよい。ＰＤＣＣＨがランダム接続応答のためのものである場合、ＲＡ−ＲＮＴＩ（ｒａｎｄｏｍ  ａｃｃｅｓｓ−ＲＮＴＩ）がＣＲＣにマスクされてもよい。
【００５５】
図７は、ＬＴＥにおいて用いられる上りリンクサブフレームの構造を例示する。
【００５６】
図７を参照すれば、上りリンクサブフレームは、複数（例えば、２つ）のスロットを含む。スロットはＣＰ長に応じて互いに異なる数のＳＣ−ＦＤＭＡシンボルを含むことができる。上りリンクサブフレームは周波数領域においてデータ領域と制御領域とに区分される。データ領域はＰＵＳＣＨを含み、音声などのデータ信号の送信に用いられる。制御領域はＰＵＣＣＨを含み、上りリンク制御情報（Ｕｐｌｉｎｋ  Ｃｏｎｔｒｏｌ  Ｉｎｆｏｒｍａｔｉｏｎ，ＵＣＩ）の送信に用いられる。ＰＵＣＣＨは周波数軸においてデータ領域の両端部に位置したＲＢ対（ＲＢ  ｐａｉｒ）を含み、スロットを境界としてホッピングする。
【００５７】
ＰＵＣＣＨは、以下の制御情報の送信に利用できる。
【００５８】
−  ＳＲ（Ｓｃｈｅｄｕｌｉｎｇ  Ｒｅｑｕｅｓｔ）：上りリンクＵＬ−ＳＣＨリソースの要請に用いられる情報である。ＯＯＫ（Ｏｎ−Ｏｆｆ  Ｋｅｙｉｎｇ）方式を用いて送信される。
【００５９】
−  ＨＡＲＱ  ＡＣＫ／ＮＡＣＫ：ＰＤＳＣＨ上の下りリンクデータパケットに対する応答信号である。下りリンクデータパケットが成功的に受信されたか否かを示す。単一下りリンクコードワードに対する応答としてＡＣＫ／ＮＡＣＫ １ビットが送信され、２つの下りリンクコードワードに対する応答としてＡＣＫ／ＮＡＣＫ ２ビットが送信される。
【００６０】
−  ＣＳＩ（Ｃｈａｎｎｅｌ  Ｓｔａｔｅ  Ｉｎｆｏｒｍａｔｉｏｎ）：下りリンクチャンネルに対するフィードバック情報である。ＣＳＩはＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）に関するフィードバック情報は、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。サブフレーム当たり２０ビットが用いられる。
【００６１】
ユーザ機器がサブフレームで送信可能な制御情報（ＵＣＩ）の量は、制御情報送信に可用なＳＣ−ＦＤＭＡの数に依存する。制御情報送信に可用なＳＣ−ＦＤＭＡは、サブフレームにおいて参照信号送信のためのＳＣ−ＦＤＭＡシンボルを除いて残ったＳＣ−ＦＤＭＡシンボルを意味して、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ−ＦＤＭＡシンボルも除外される。参照信号はＰＵＣＣＨのコヒーレントの検出に用いられる。
【００６２】
以下、新たな無線接続技術（Ｎｅｗ  Ｒａｄｉｏ  Ａｃｃｅｓｓ  Ｔｅｃｈｎｏｌｏｇｙ）システムについて説明する。より多い通信機器がより大きい通信容量を要求することにより、既存の無線接続技術（ｒａｄｉｏ  ａｃｃｅｓｓ  ｔｅｃｈｎｏｌｏｇｙ，ＲＡＴ）に比べて向上した広帯域（ｍｏｂｉｌｅ  ｂｒｏａｄｂａｎｄ）通信に対する必要性が台頭しつつある。また、複数の機器及びモノを連結していつでもどこでも様々なサービスを提供する大規模ＭＴＣ（ｍａｓｓｉｖｅ  Ｍａｃｈｉｎｅ  Ｔｙｐｅ  Ｃｏｍｍｕｎｉｃａｔｉｏｎｓ）が必要になった。のみならず。信頼性（ｒｅｌｉａｂｉｌｉｔｙ）及び遅延（ｌａｔｅｎｃｙ）に敏感なサービス／ＵＥを考慮した通信システムデザインが提示されている。
【００６３】
このように、向上した端末広帯域通信（ｅｎｈａｎｃｅｄ  ｍｏｂｉｌｅ  ｂｒｏａｄｂａｎｄ  ｃｏｍｍｕｎｉｃａｔｉｏｎ）、大規模ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した新たな無線接続技術として、新たな無線接続技術システムが提案されている。以下、本発明では、便宜のために、当該技術をＮｅｗ  ＲＡＴ又はＮＲ（Ｎｅｗ  Ｒａｄｉｏ）と称する。
【００６４】
本発明が適用可能なＮＲシステムでは、以下の表のような多様なＯＦＤＭニューマロロジー（Ｎｕｍｅｒｉｏｌｏｇｉｅｓ）を支援する。このとき、搬送波帯域幅部分（ｃａｒｒｉｅｒ  ｂａｎｄｗｉｄｔｈ  ｐａｒｔ）別μ及び循環前置（Ｃｙｃｌｉｃ  ｐｒｅｆｉｘ）情報は、下りリンク（ＤＬ）又は上りリンク（ＵＬ）別にそれぞれシグナルされてもよい。一例として、下りリンク搬送波帯域幅部分（ｄｏｗｎｌｉｎｋ  ｃａｒｒｉｅｒ  ｂａｎｄｗｉｄｔｈ  ｐａｒｔ）のためのμ及び循環前置（Ｃｙｃｌｉｃ  ｐｒｅｆｉｘ）情報は、上位層シグナリングＤＬ−ＢＷＰ−ｍｕ及びＤＬ−ＭＷＰ−ｃｐによってシグナルされる。別の例として、上りリンク搬送波帯域幅部分（ｕｐｌｉｎｋ  ｃａｒｒｉｅｒ  ｂａｎｄｗｉｄｔｈ  ｐａｒｔ）のためのμ及び循環前置（Ｃｙｃｌｉｃ  ｐｒｅｆｉｘ）情報は、上位層シグナリングＵＬ−ＢＷＰ−ｍｕ及びＵＬ−ＭＷＰ−ｃｐによってシグナルされる。
【００６５】
【表３】
2020529786.tif 000012
【００６６】
ＮＲにおけるフレーム構造は、下りリンク及び上りリンク送信が１０ｍｓ長さのフレームで構成される。このフレームは、１ｍｓ長さのサブフレームが１０個集まって構成されることができる。このとき、各々のサブフレームにおいて連続するＯＦＤＭシンボルの数は
2020529786.tif 000013
である。
【００６７】
各フレームは、２つの同一サイズのハーフ−フレーム（ｈａｌｆ  ｆｒａｍｅ）で構成されてもよい。このとき、各ハーフ−フレームのそれぞれは、サブフレーム０−４及びサブフレーム５−９で構成されてもよい。
【００６８】
副搬送波間隔（ｓｕｂｃａｒｒｉｅｒ  ｓｐａｃｉｎｇ）μに対して、スロットは、１つのサブフレームにおいて昇順に
2020529786.tif 000014
のように番号付けられえ、１つのフレームにおいて昇順に
2020529786.tif 000015
のように番号付けられてもよい。このとき、１つのスロットにおいて連続するＯＦＤＭシンボルの数
2020529786.tif 000016
は、循環前置によって、以下の表のように決定されてもよい。１つのサブフレームにおいて開始スロット
2020529786.tif 000017
は、同一のサブフレームにおいて開始ＯＦＤＭシンボル
2020529786.tif 000018
と時間的に整列されている（ａｌｉｇｎｅｄ）。以下の表４は、一般循環前置（ｎｏｒｍａｌ  ｃｙｃｌｉｃ  ｐｒｅｆｉｘ）のためのスロット別／フレーム別／サブフレーム別のＯＦＤＭシンボルの数を示し、表５は、拡張循環前置（ｅｘｔｅｎｄｅｄ  ｃｙｃｌｉｃ  ｐｒｅｆｉｘ）のためのスロット別／フレーム別／サブフレーム別のＯＦＤＭシンボルの数を示す。
【００６９】
【表４】
2020529786.tif 000019
【００７０】
【表５】
2020529786.tif 000020
【００７１】
本発明が適用可能なＮＲシステムでは、上述のようなスロット構造として、自己完結型スロット構造（Ｓｅｌｆ−ｃｏｎｔａｉｎｅｄ  ｓｌｏｔ  ｓｔｒｕｃｔｕｒｅ）が適用できる。
【００７２】
図８は、本発明に適用可能な自己完結型スロット構造（Ｓｅｌｆ−ｃｏｎｔａｉｎｅｄ  ｓｌｏｔ  ｓｔｒｕｃｔｕｒｅ）を示す図である。
【００７３】
図８において、斜線領域（例えば、ｓｙｍｂｏｌ  ｉｎｄｅｘ＝０）は、下りリンク制御（ｄｏｗｎｌｉｎｋ  ｃｏｎｔｒｏｌ）領域を示し、黒塗り領域（例えば、ｓｙｍｂｏｌ  ｉｎｄｅｘ＝１３）は、上りリンク制御（ｕｐｌｉｎｋ  ｃｏｎｔｒｏｌ）領域を示す。その他の領域（例えば、ｓｙｍｂｏｌ  ｉｎｄｅｘ＝１〜１２）は、下りリンクデータ送信のために用いられてもよく、上りリンクデータ送信のために用いられてもよい。
【００７４】
この構造によって、基地局及びＵＥは、１つのスロットにおいてＤＬ送信とＵＬ送信を順次に行うことができ、１つのスロットにおいてＤＬデータを送受信し、これに対するＵＬ  ＡＣＫ／ＮＡＣＫを送受信することもできる。結果として、かかる構造は、データ送信エラー発生時にデータの再送信までかかる時間を減らし、これによって最終データ伝達の遅延を最小化することができる。
【００７５】
このような自己完結型スロット構造において、基地局とＵＥが送信モードから受信モードに切り替えられ、又は受信モードから送信モードに切り替えられるためには、所定時間長さのタイムギャップ（ｔｉｍｅ  ｇａｐ）が必要である。そのために、自己完結型スロット構造において、ＤＬからＵＬに切り替えられる時点の一部のＯＦＤＭシンボルは、ガード区間（ｇｕａｒｄ  ｐｅｒｉｏｄ，ＧＰ）として設定される。
【００７６】
上述では、自己完結型スロット構造が ＤＬ制御領域及びＵＬ制御領域を両方含む場合を説明したが、制御領域は自己完結型スロット構造に選択的に含まれてもよい。換言すれば、本発明による自己完結型スロット構造は、図８のように、ＤＬ制御領域及びＵＬ制御領域を両方含む場合に限られず、ＤＬ制御領域又はＵＬ制御領域のいずれか一方のみを含む場合であってもよい。
【００７７】
一例として、スロットは、様々なスロットフォーマットを有してもよい。このとき、各スロットのＯＦＤＭシンボルは、下りリンク（「Ｄ」と示す）、フレキシブル（「Ｘ」と示す）、上りリンク（「Ｕ」と示す）に分類できる。
【００７８】
よって、下りリンクスロットにおいてＵＥは、下りリンク送信が「Ｄ」及び「Ｘ」シンボルでのみ発生すると仮定することができる。同様に、上りリンクスロットにおいてＵＥは、上りリンク送信が「Ｕ」及び「Ｘ」シンボルでのみ発生すると仮定することができる。
【００７９】
以下、アナログビームフォーミング（Ａｎａｌｏｇ  ｂｅａｍｆｏｒｍｉｎｇ）について説明する。
【００８０】
ミリ波（Ｍｉｌｌｉｍｅｔｅｒ  Ｗａｖｅ，ｍｍＷ）では波長が短いので、同一面積に多数のアンテナ要素（ｅｌｅｍｅｎｔ）の設置が可能である。即ち、３０ＧＨｚ帯域において波長は１ｃｍであるので、５＊５ｃｍのパネル（ｐａｎｅｌ）に０．５ｌａｍｂｄａ（波長）間隔で２次元（２−ｄｉｍｅｎｓｉｏｎ）配列する場合、全１００個のアンテナ要素を設けることができる。これにより、ミリ波（ｍｍＷ）では多数のアンテナ要素を使用してビームフォーミング（ｂｅａｍｆｏｒｍｉｎｇ，ＢＦ）利得を上げてカバレッジを増加させたり、或いはスループット（ｔｈｒｏｕｇｈｐｕｔ）を向上させたりすることができる。
【００８１】
このとき、アンテナ要素ごとに送信パワー及び位相の調節ができるように、各々のアンテナ要素はＴＸＲＵ（Ｔｒａｎｓｃｅｉｖｅｒ Ｕｎｉｔ）を含んでもよい。これにより、各々のアンテナ要素は周波数リソースごとに独立したビームフォーミングを行うことができる。
【００８２】
しかし、１００余個の全てのアンテナ要素にＴＸＲＵを設けることは費用面で実効性が乏しい。従って、１つのＴＸＲＵに多数のアンテナ要素をマップし、アナログ位相シフター（ａｎａｌｏｇ  ｐｈａｓｅ  ｓｈｉｆｔｅｒ）でビーム（ｂｅａｍ）方向を調節する方式が考えられている。かかるアナログビームフォーミング方式では全帯域において１つのビーム方向のみが形成できるので、周波数選択的なビームフォーミングが難しいというデメリットがある。
【００８３】
これを解決するために、デジタルビームフォーミングとアナログビームフォーミングの中間形態として、Ｑ個のアンテナ要素より少ない数のＢ個のＴＸＲＵを有するハイブリッドビームフォーミング（ｈｙｂｒｉｄ  ＢＦ）が考えられる。この場合、Ｂ個のＴＸＲＵとＱ個のアンテナ要素の連結方式によって差はあるが、同時に送信可能なビーム（ｂｅａｍ）の方向はＢ個以下に制限される。
【００８４】
図９及び図１０は、ＴＸＲＵとアンテナ要素（ｅｌｅｍｅｎｔ）の代表的な連結方式を示す図である。ここで、ＴＸＲＵ仮想化（ｖｉｒｔｕａｌｉｚａｔｉｏｎ）モデルは、ＴＸＲＵの出力信号とアンテナ要素の出力信号との関係を示す。
【００８５】
図９は、ＴＸＲＵがサブアレイ（ｓｕｂ−ａｒｒａｙ）に連結された方式を示している。図９の場合、アンテナ要素は１つのＴＸＲＵにのみ連結される。
【００８６】
反面、図１０はＴＸＲＵが全てのアンテナ要素に連結された方式を示している。図１０の場合、アンテナ要素は全てのＴＸＲＵに連結される。この時、アンテナ要素が全てのＴＸＲＵに連結されるためには、図８に示したように、別の加算器が必要である。
【００８７】
図９及び図１０において、Ｗはアナログ位相シフター（ａｎａｌｏｇ  ｐｈａｓｅ  ｓｈｉｆｔｅｒ）により乗じられる位相ベクトルを示す。即ち、Ｗはアナログビームフォーミングの方向を決定する主要パラメータである。ここで、ＣＳＩ−ＲＳアンテナポートと複数のＴＸＲＵとのマッピングは１：１又は１：多（１−ｔｏ−ｍａｎｙ）である。
【００８８】
図９の構成によれば、ビームフォーミングのフォーカシングが難しいというデメリットがあるが、全てのアンテナ構成を低価で構成できるというメリットがある。
【００８９】
図１０の構成によれば、ビームフォーミングのフォーカシングが容易であるというメリットがある。但し、全てのアンテナ要素にＴＸＲＵが連結されるので、全体費用が増加するというデメリットがある。
【００９０】
本発明が適用可能なＮＲシステムにおいて複数のアンテナが用いられる場合、デジタルビームフォーミング（Ｄｉｇｉｔａｌ  ｂｅａｍｆｏｒｍｉｎｇ）とアナログビームフォーミング（Ａｎａｌｏｇ  ｂｅａｍｆｏｒｍｉｎｇ）とを組み合わせたハイブリッドビームフォーミング（Ｈｙｂｒｉｄ  ｂｅａｍｆｏｒｍｉｎｇ）が適用されることができる。このとき、アナログビームフォーミング（又は、ＲＦ（Ｒａｄｉｏ  Ｆｒｅｑｕｅｎｃｙ）ビームフォーミング）は、ＲＦ端においてプリコーディング（又は、コンバイニング（Ｃｏｍｂｉｎｉｎｇ））を行う動作を意味する。また、ハイブリッドビームフォーミングでベースバンド（Ｂａｓｅｂａｎｄ）端とＲＦ端はそれぞれプリコーディング（又は、コンバイニング）を行う。これによって、ＲＦチェーン数とＤ／Ａ（Ｄｉｇｉｔａｌ−ｔｏ−Ａｎａｌｏｇ）（又は、Ａ／Ｄ（Ａｎａｌｏｇ−ｔｏ−Ｄｉｇｉｔａｌ）コンバータ数を減らしながらもデジタルビームフォーミングに近づく性能が発揮できるというメリットがある。
【００９１】
説明の便宜のために、ハイブリッドビームフォーミング構造は、Ｎ個の送受信端（Ｔｒａｎｓｃｅｉｖｅｒ  ｕｎｉｔ，ＴＸＲＵ）とＭ個の物理アンテナで表現される。このとき、送信端から送信するＬ個のデータ層（Ｄａｔａ  ｌａｙｅｒ）に対するデジタルビームフォーミングはＮ＊Ｌ（Ｎ  ｂｙ  Ｌ）行列で表現される。この後、変換されたＮ個のデジタル信号はＴＸＲＵを経てアナログ信号に変換され、変換された信号に対してＭ＊Ｎ（Ｍ  ｂｙ  Ｎ）行列で表現されるアナログビームフォーミングが適用される。
【００９２】
図１１は、ＴＸＲＵ及び物理アンテナの観点におけるハイブリッドビームフォーミングの構造を簡単に示す図である。このとき、図１１においてデジタルビーム数はＬ個であり、アナログビーム数はＮ個である。
【００９３】
さらに、ＮＲシステムでは、基地局がアナログビームフォーミングをシンボル単位に変更できるように設計して、特定の地域に位置した端末により効率的なビームフォーミングを支援する方法を考慮している。また、図１１のように、特定のＮ個のＴＸＲＵとＭ個のＲＦアンテナを１つのアンテナパネル（ｐａｎｅｌ）と定義するとき、本発明によるＮＲシステムでは、互いに独立したハイブリッドビームフォーミングが適用可能な複数のアンテナパネルを導入する方案まで考慮されている。
【００９４】
上述したように、基地局が複数のアナログビームを活用する場合、各々の端末において信号受信に有利なアナログビームが異なる。これにより、本発明が適用可能なＮＲシステムでは、基地局が特定のサブフレーム（ＳＦ）においてシンボルごとに異なるアナログビームを適用して（少なくとも同期信号、システム情報、ページング（Ｐａｇｉｎｇ）など）信号を送信することで、全ての端末が受信機会を得るようにするビームスイーピング（Ｂｅａｍ  ｓｗｅｅｐｉｎｇ）動作が考慮されている。
【００９５】
本発明では、ＮＲ  ＵＥがＮＲ基地局とＬＴＥ基地局に同時に連結されている場合（ｄｕａｌ  ｃｏｎｎｅｃｔｉｖｉｔｙ）、又はＮＲ  ＵＥがＬＴＥ帯域（ＬＴＥ  ｂａｎｄ）をさらに上りリンクで割り当てられた追加ＵＬ（ｓｕｐｐｌｅｍｅｎｔａｌ  ＵＬ）である場合、ＮＲの上りリンク信号を送信する方案について説明する。本発明は、二重連結（ｄｕａｌ  ｃｏｎｎｅｃｔｅｄ）されたＵＥ又は追加ＵＬ（ｓｕｐｐｌｅｍｅｎｔａｌ  ＵＬ）が割り当てられたＵＥを中心として述べられているが、他のシナリオへの利用は排除しない。例えば、発明の内容のうち、ＬＴＥとＮＲとの関係をＮＲ間のＣＡ関係として発明を適用することができる。
【００９６】
二重連結（ｄｕａｌ  ｃｏｎｎｅｃｔｅｄ）されたＵＥ又は追加ＵＬ（ｓｕｐｐｌｅｍｅｎｔａｌ  ＵＬ）が割り当てられたＵＥの場合、基本的に、１つの下りリンクに対して２つの上りリンク帯域を利用するという余地が発生する。２つの場合とも、従来のＮＲ上りリンク帯域とＬＴＥ上りリンク帯域とが共に存在して、上りリンク信号をＮＲ上りリンク帯域に送信するか、ＬＴＥ上りリンク帯域に送信するかの曖昧さ（ａｍｂｉｇｕｉｔｙ）が発生する。本発明は、この状況において上りリンク信号送信をどうやって送信するかに関する発明である。
【００９７】
本発明では、ＬＴＥ下りリンクとＬＴＥ上りリンク、ＮＲ下りリンクとＮＲ上りリンクで表現するが、それぞれ帯域Ｘの下りリンクと帯域Ｙの上りリンク、帯域Ｚの下りリンクと帯域Ｋの上りリンクと表現を変えて、二重連結の状況ではない他のシナリオに適用することもできる。例えば、ＬＴＥ帯域を追加ＵＬ（ｓｕｐｐｌｅｍｅｎｔａｌ  ＵＬ）として利用する場合にも適用可能である。また、ＮＲ  ＣＡなど当該帯域組み合わせ（ｂａｎｄ  ｃｏｍｂｉｎａｔｉｏｎ）を用いる全ての組み合わせに適用することができる。帯域Ｘ、Ｙ、Ｚ、Ｋは一部が同一の帯域を意味してもよい。
【００９８】
＜第１の実施例＞
【００９９】
ＬＴＥ帯域においてＮＲ上りリンク信号を送信するとき、ＬＴＥスケジューリング要請リソース（ｓｃｈｅｄｕｌｉｎｇ  ｒｅｑｕｅｓｔ  ｒｅｓｏｕｒｃｅ）では、ＮＲ上りリンク信号がスケジュールされてもＮＲ上りリンク信号を送信しない。これは、ＮＲ基地局の場合、ＬＴＥスケジューリング要請リソースの送信有無が分からないため、ＮＲ  ＵＥがＬＴＥスケジューリング要請リソースでＮＲ上りリンク信号がスケジュールされても送信しなくてもよい。通常、ＬＴＥスケジューリング要請リソースが設定される場合、ＰＵＣＣＨ領域であるため、ＮＲ  ＰＵＣＣＨ信号に限って適用されてもよい。
【０１００】
このＬＴＥスケジューリング要請リソースに対する設定情報は、ＮＲとＬＴＥ基地局との間にＸ２インターフェースを介して送受信して、ＮＲ基地局がＮＲ  ＵＥに送信するか、二重連結（ｄｕａｌ  ｃｏｎｎｅｃｔｅｄ）ＵＥの場合、自分がＬＴＥで設定されたＬＴＥスケジューリング要請リソースに対する設定をＮＲ  ＬＴＥ上位層を介して送受信するか、これをＮＲ基地局に送信することができる。
【０１０１】
ＬＴＥスケジューリング要請リソースに対する設定は、ＵＥ特定（ＵＥ  ｓｐｅｃｉｆｉｃ）の情報であるが、二重連結や追加ＵＬ（ｓｕｐｐｌｅｍｅｎｔａｌ  ＵＬ）の状況では、セル−特定（ｃｅｌｌ  ｓｐｅｃｉｆｉｃ）にＬＴＥスケジューリング要請リソースに対する全ての情報を送受信できるようにしてもよい。
【０１０２】
また、ＬＴＥシステム上ではＬＴＥスケジューリング要請リソースの設定がサブフレーム単位で割り当てられるが、今後、スロット又はシンボル単位である場合にも同じ規則が適用できる。
【０１０３】
ＬＴＥスケジューリング要請の設定がスロット又はシンボル単位である場合、ＮＲ上りリンク信号を送信しようとするリソースの一部のみがＬＴＥスケジューリング要請リソースであり得る。この場合、当該部分のみレートマッチング（ｒａｔｅ  ｍａｔｃｈｉｎｇ）してＮＲ上りリンク信号を送信するようにしてもよい。このようにレートマッチングするか否かは、上位層シグナリング（例えば、ＲＲＣシグナリング）によってＵＥに通知するか、制御チャンネルによって通知することができる。
【０１０４】
また、ＬＴＥスケジューリング要請リソース位置と表現したが、ＬＴＥ  ａｃｋ／ｎａｃｋリソースにも同じ規則が適用できる。
【０１０５】
また、ＬＴＥスケジューリング要請リソース位置と表現したが、保護したい信号のある位置を一括設定して、その位置ではＮＲ上りリンク信号がスケジュールされてもＮＲ上りリンク信号を送信しないように規定を適用することもできる。
【０１０６】
保護すべきＬＴＥ信号によってＮＲ上りリンク信号が送信できなかった場合、これをどのタイミングに再送信するかドロップするかを制御チャンネル又は上位層シグナリング（例えば、ＲＲＣシグナリング）で通知することができる。
【０１０７】
ＬＴＥスケジューリング要請リソースでＮＲ上りリンク信号送信を許容して、ＬＴＥ基地局でスケジューリング要請復調（ｓｃｈｅｄｕｌｉｎｇ  ｒｅｑｕｅｓｔ  ｄｅｍｏｄｕｌａｔｉｏｎ）の際、オン−オフ（ｏｎ−ｏｆｆ）方式でパワーのみをチェックして信号を検出せず、実際にスケジューリング要請を送信するとき、変調された（ｍｏｄｕｌａｔｅｄ）信号を送信したか否かを判別して、ＮＲ上りリンク信号が共に送信されても、スケジューリング要請が検出できるようにする。この判別方法は、例えば、スケジューリング要請を送信するときに変調された（ｍｏｄｕｌａｔｅｄ）信号と推定された（ｅｓｔｉｍａｔｅｄ）信号との距離差が所定値の以下である場合、スケジューリング要請を送信したと判別する方法である。
【０１０８】
＜第２の実施例＞
【０１０９】
本発明の第２の実施例によれば、ＮＲ上りリンク信号がＬＴＥ帯域でスケジュールされるとき、ＰＵＳＣＨがスケジュールされたタイミング（又は、周波数位置まで）、又はＡｃｋ／Ｎａｃｋがスケジュールされたタイミング（又は、周波数位置まで）が制御チャンネルで指示されるか、上位層シグナリング（例えば、ＲＲＣシグナリング）で半−静的（ｓｅｍｉ  ｓｔａｔｉｃ）に定義されてもよい。このとき、いずれのキャリア（又は、帯域）でスケジュールされたか、共に又は別々に（制御チャンネルで又はＲＲＣシグナリングで）通知することができる。
【０１１０】
例えば、基地局は、
【０１１１】
Ａ．ＬＴＥキャリア
【０１１２】
Ｂ．ＮＲキャリア
【０１１３】
Ｃ．両方（すなわち、ＬＴＥキャリア、ＮＲキャリアの両方）
【０１１４】
のように、ＬＴＥキャリア、ＮＲキャリア、又は両方のうちいずれにより送信できるのかを通知することができる。
【０１１５】
仮に、両方（即ち、Ｃ）である場合、信頼度（ｒｅｌｉａｂｉｌｉｔｙ）のために選択することができ、この場合、メッセジーを２つのキャリアで繰り返して送信してもよく、分割して２つのキャリアで送信してもよい。繰り返すか分割するかは、制御チャンネルによって通知してもよく、上位層シグナリング（例えば、ＲＲＣシグナリング）によって通知してもよい。
【０１１６】
＜第３の実施例＞
【０１１７】
第３の実施例において、ＮＲ上りリンク信号がＬＴＥ帯域でスケジュールされるとき、ＮＲとＬＴＥ上りリンクとが互いに異なるニューマロロジー（ｎｕｍｅｒｏｌｏｇｙ）（代表的に、サブ−キャリアスペーシングの異なるニューマロロジー（ｎｕｍｅｒｏｌｏｇｙ））を用いることができる。このとき、ＰＵＳＣＨがスケジュールされたタイミング（又は、周波数位置まで）、又はＡｃｋ／Ｎａｃｋがスケジュールされたタイミング（又は、周波数位置まで）が制御チャンネルで指示されてもよく、上位層シグナリング（例えば、ＲＲＣシグナリング）で半−静的（ｓｅｍｉ  ｓｔａｔｉｃ）に定義されてもよい。このとき、ＬＴＥキャリアではどの単位の送信ＴＴＩ（ｔｒａｎｓｍｉｓｓｉｏｎ  ｔｉｍｅ  ｉｎｔｅｒｖａｌ）を仮定するかを、共に又は別々に（制御チャンネルで又はＲＲＣシグナリングで）通知することができる。
【０１１８】
また、この送信がどのタイミングで送信されるかも、共に又は別々に（制御チャンネルで又はＲＲＣシグナリングで）通知することができる。例えば、１つのサブフレームにおいて何番目のシンボルからなのか、又は何番目のスロットで送信するかを通知することができる。
【０１１９】
＜第４の実施例＞
【０１２０】
第２の実施例、第３の実施例のように、ＮＲ上りリンク信号がＬＴＥ帯域で（又はＮＲ帯域で）スケジュールされるとき、上りリンクタイミングや送信ニューマロロジー（ｎｕｍｅｒｏｌｏｇｙ）などに対して複数の集合をＲＲＣ設定した後、このうちいずれの集合であるかを制御チャンネルで指示することができる。このとき、１つの集合に入るパラメータとして以下のものが考えられる。
【０１２１】
Ａ．送信ニューマロロジー（ｎｕｍｅｒｏｌｏｇｙ）
【０１２２】
Ｂ．上りリンク送信タイミングのためのＴＴＩ単位（これから何番目のＴＴＩで送信するというとき、１つのＴＴＩ単位を意味する。複数のＴＴＩを集めて定義されている場合、例えば、３シンボル、４シンボルが交互に示されるＴＴＩの場合、このＴＴＩパターンを意味してもよい。）
【０１２３】
Ｃ．送信キャリア
【０１２４】
Ｄ．参照信号構造（例えば、ＬＴＥ上りリンクＤＭＲＳ又はＮＲ  ＤＭＲＳ）、この場合、参照信号のシーケンス生成パラメータに関する値が含まれてもよい。その理由は、ＬＴＥ信号が共にリソースを占めているとき、ＤＭＲＳ間に相互直交（ｏｒｔｈｏｇｏｎａｌ）が維持できるように、参照信号パラメータを調整することもできるためである。また、ＤＭＲＳのシンボル位置が含まれてもよい。その理由は、ＬＴＥ信号が共にリソースを占めているとき、ＤＭＲＳの位置をＬＴＥとＮＲとで同じ位置にして、相互直交（ｏｒｔｈｏｇｏｎａｌ）して送信させるためのである。ＤＭＲＳの位置をＬＴＥとＮＲとで同じ位置にするために、ＮＲのフレーム境界（ｆｒａｍｅ  ｂｏｕｎｄａｒｙ）をシフトできるようにしてもよい。ここで、シフト動作は、第４の実施例のパラメータとは異なるＲＲＣ設定で通知するか、制御チャンネルによって第４の実施例による指示とは別の指示で通知してもよい。
【０１２５】
Ｅ．プリコーディング情報、仮に、ＬＴＥとＮＲとで互いに異なる位置にある場合、同時にＬＴＥとＮＲが同じリソースを占有しても、互いにビーム分離（ｂｅａｍ  ｓｅｐａｒａｔｉｏｎ）するようにプリコーディングをセットすることができる。この動作のために、ＬＴＥとＮＲとで各ＵＥのプリコーディング情報を交換することができる。このプリコーディングは、互いのＵＥが他の基地局への干渉の影響が少ないプリコーディング情報になり得るか、又は各基地局が送信される信号が大きい方のプリコーディング情報になり得る。
【０１２６】
＜第５の実施例＞
【０１２７】
仮に、ＬＴＥとＮＲが同じリソースで同時に上りリンク送信を行う場合、ＭＵ  ＭＩＭＯ（ｍｕｌｔｉ−ｕｓｅｒ  ｍｕｌｔｉｐｌｅ−ｉｎｐｕｔ  ａｎｄ  ｍｕｌｔｉｐｌｅ−ｏｕｔｐｕｔ）を指示することもできる。または、ＰＵＳＣＨ／ＰＵＣＣＨ同時送信されない場合に限って、ＰＵＳＣＨ位置においてＰＵＣＣＨとＰＵＳＣＨがＭＵ  ＭＩＭＯするように設定しておいてもよい。
【０１２８】
例えば、ＤＭＲＳの位置をＬＴＥとＮＲとの間で同じ位置で送信するようにして、シーケンスを相互直交（ｏｒｔｈｏｇｏｎａｌ）してセットする。ここで、ＤＭＲＳの位置をＬＴＥとＮＲとで同じ位置にするために、ＮＲのフレーム境界（ｆｒａｍｅ  ｂｏｕｎｄａｒｙ）がシフトできるようにしてもよい。ここで、シフト動作は、ＲＲＣ設定によって通知してもよく、制御チャンネルの指示によって通知してもよい。
【０１２９】
仮に、各々の信号のプリコーディングを適用して、ＮＲとＬＴＥ基地局が同じ位置にない場合、ビーム分離（ｂｅａｍ  ｓｅｐａｒａｔｉｏｎ）してもよい。このために、ＬＴＥとＮＲとでＵＥのプリコーディング情報を互いに交換することができる。
【０１３０】
或いは、ＭＵ−ＭＩＭＯ状況であることを認知させて、ＵＥが送信を行うときに各基地局に通知するか、又は基地局がＵＥにＭＵ−ＭＩＭＯ状況であることを送信するようにＲＲＣ設定又は制御チャンネルによって通知してもよい。
【０１３１】
＜第６の実施例＞
【０１３２】
以下、第６の実施例では、ピギーバック（ｐｉｇｇｙｂａｃｋ）の設定について説明する。二重連結（ｄｕａｌ  ｃｏｎｎｅｃｔｅｄ）ＵＥである場合、ＬＴＥ ＰＵＳＣＨとＮＲ ＵＣＩ（Ｕｐｌｉｎｋ  Ｃｏｎｔｒｏｌ  Ｉｎｆｏｒｍａｔｉｏｎ）がＬＴＥ帯域においていずれもスケジュールされることができる。この場合、ＬＴＥ  ＰＵＳＣＨ／ＰＵＣＣＨのピギーバック（ｐｉｇｇｙｂａｃｋ）の設定に従うものの、Ａｃｋ／Ｎａｃｋリソース位置のみをＮＲ  ＵＣＩが使用するようにしてもよい。これは、Ａｃｋ／ｎａｃｋリソースのみがＰＵＳＣＨがパックチャリング（ｐｕｎｃｔｕｒｉｎｇ）されるため、ＬＴＥ基地局がピギーバック（ｐｉｇｇｙｂａｃｋ）されたことを知らなくても、ＰＵＳＣＨに対して復調（ｄｅｍｏｄｕｌａｔｉｏｎ）を行うことができる。
【０１３３】
仮に、Ａｃｋ／ｎａｃｋリソース位置ではない他のリソースもピギーバック（ｐｉｇｇｙｂａｃｋ）する場合、その位置でＰＵＳＣＨをパックチャリング（ｐｕｎｃｔｕｒｉｎｇ）することを原則としてもよい。仮に、ＰＵＳＣＨをレートマッチング（ｒａｔｅ  ｍａｔｃｈｉｎｇ）する場合、ＬＴＥ基地局がピギーバック（ｐｉｇｇｙｂａｃｋ）されたことを知らない場合、ＬＴＥ  ＰＵＳＣＨ復調（ｄｅｍｏｄｕｌａｔｉｏｎ）に失敗することになる。
【０１３４】
或いは、ＮＲ基地局にはＵＥがピギーバック（ｐｉｇｇｙｂａｃｋ）されたか否かを通知してもよい。ＮＲ基地局はピギーバック（ｐｉｇｇｙｂａｃｋ）設定によってＮＲ上りリンク信号を復調（ｄｅｍｏｄｕｌａｔｉｏｎ）する。このとき、ピギーバック（ｐｉｇｇｙｂａｃｋ）されたか否かを通知するために、当該上りリンク送信サブフレームにおいてＤＭＲＳに相互直交（ｏｒｔｈｏｇｏｎａｌ）したシーケンスをさらに送信して通知してもよい。また、ピギーバック（ｐｉｇｇｙｂａｃｋ）されたか否かを通知するために、スケジュールされた時点から上りリンク信号が行われる間にＵＥがシグナリングによってＮＲ基地局に通知してもよい。このシグナリングに対するリソースは下りリンク制御チャンネル又はＲＲＣシグナリングでＵＥに通知してもよい。
【０１３５】
また、ＬＴＥピギーバック（ｐｉｇｇｙｂａｃｋ）の設定を必ずしも従わなくても、ピギーバック（ｐｉｇｇｙｂａｃｋ）されたか否かをＬＴＥとＮＲ基地局にＵＥが通知するようにしてもよい。また、ＮＲとＬＴＥ基地局は共有されたピギーバック（ｐｉｇｇｙｂａｃｋ）の設定に従って、それぞれの上りリンク信号を復調（ｄｅｍｏｄｕｌａｔｉｏｎ）することができる。
【０１３６】
また、ピギーバック（ｐｉｇｇｙｂａｃｋ）された場合、ＮＲ基地局はＬＴＥのために送信されたＤＭＲＳによって復調（ｄｅｍｏｄｕｌａｔｉｏｎ）のためのチャンネル推定（ｃｈａｎｎｅｌ  ｅｓｔｉｍａｔｉｏｎ）を行うことができる。また、ＬＴＥ  ＰＵＳＣＨ位置でＮＲ  ＤＭＲＳを別に送信するが、ＬＴＥ  ＰＵＳＣＨはその位置でパックチャリング（ｐｕｎｃｔｕｒｉｎｇ）する。
【０１３７】
また、ＬＴＥ  ＰＵＳＣＨとＮＲ  ＰＵＣＣＨをシンボル単位でＴＤＭ（Ｔｉｍｅ  ｄｉｖｉｓｉｏｎ  ｍｕｌｔｉｐｌｅｘｉｎｇ）して用いることができる。この場合、ＬＴＥ  ＰＵＳＣＨはＮＲ  ＰＵＣＣＨを送信する時間上においてパックチャリング（ｐｕｎｃｔｕｒｉｎｇ）して、ＮＲ  ＰＵＣＣＨはＰＵＣＣＨ領域で送信されてもよい。
【０１３８】
また、ＬＴＥ  ＰＵＳＣＨは送信して、ＮＲ  ＰＵＣＣＨはドロップしてもよい。ドロップしたＮＲ  ＰＵＣＣＨをどのタイミングで再送信するかを制御チャンネル又は上位層シグナリング（例えば、ＲＲＣシグナリング）で通知することもできる。
【０１３９】
また、ＬＴＥ  ＰＵＳＣＨとＮＲ  ＰＵＣＣＨをそれぞれプリコーディングを適用して、ＭＵ−ＭＩＭＯ形態で送信することができる。この場合、ＮＲ  ＰＵＣＣＨはＬＴＥ  ＰＵＳＣＨと一部又は全体のリソースを共に共有（ｓｈａｒｅ）して重畳（ｓｕｐｅｒｐｏｓｉｔｉｏｎ）して送信することができる。そのために、ＬＴＥとＮＲとでＵＥのプリコーディング情報を互いに交換してもよい。或いは、ＤＭＲＳの位置をＬＴＥとＮＲ送信とで同じ位置にしてパラメータを変更してシーケンスを相互直交（ｏｒｔｈｏｇｏｎａｌ）してセットすることができる。また、ＤＭＲＳの位置を同一にするために、ＮＲのフレーム境界（ｆｒａｍｅ  ｂｏｕｎｄａｒｙ）がシフトできるようにしてもよい。ここで、シフト動作は、ＲＲＣ設定によって通知してもよく、制御チャンネルの指示によって通知してもよい。
【０１４０】
上述した第６の実施例とは異なり、ＮＲ  ＰＵＳＣＨとＬＴＥ  ＵＣＩがＬＴＥ帯域においていずれもスケジュールされることができる。この場合、基本的に、第６の実施例と同様に適用することができるが、ＬＴＥがピギーバック（ｐｉｇｇｙｂａｃｋ）されたことが分かり難いため、ＬＴＥ  ＵＣＩは送信して、ＮＲ  ＰＵＳＣＨはドロップしてもよい。ドロップされたＮＲ  ＰＵＳＣＨをどのタイミングで再送信するかを制御チャンネル又は上位層シグナリング（例えば、ＲＲＣシグナリング）で通知してもよい。
【０１４１】
＜第７の実施例＞
【０１４２】
第７の実施例では、ＰＤＣＣＨオーダーについて説明する。通常、基地局は、同期（ｓｙｎｃｈ）情報が合わないとき、ＵＥにＲＡＣＨ（ｒａｎｄｏｍ  ａｃｃｅｓｓ  ｃｈａｎｎｅｌ）を送信するというＰＤＣＣＨオーダーを送信する。この場合、非競合ランダムアクセスの過程（ｃｏｎｔｅｎｔｉｏｎ  ｆｒｅｅ  ｒａｎｄｏｍ  ａｃｃｅｓｓ  ｐｒｏｃｅｄｕｒｅ）に従うため、ＰＤＣＣＨオーダーが送信されて、ランダムアクセスプリアンブル（ｒａｎｄｏｍ  ａｃｃｅｓｓ  ｐｒｅａｍｂｌｅ）をＵＥが送信した後、基地局がランダムアクセス応答（ｒａｎｄｏｍ  ａｃｃｅｓｓ  ｒｅｓｐｏｎｓｅ）をＵＥに送信しながら、ＴＡ（Ｔｉｍｉｎｇ  Ａｄｖａｎｃｅｄ）に関する情報を与え、これに対するａｃｋ／ｎａｃｋ送信のためにＵＥにＰＵＳＣＨをスケジュールする。
【０１４３】
この動作は、ＬＴＥシステム上では大きい問題がないが、ＬＴＥ帯域を追加ＵＬ（ｓｕｐｐｌｅｍｅｎｔａｌ  ＵＬ）で割り当てられたＮＲ  ＵＥの場合、ＮＲ上りリンクで送信するか、又はＬＴＥ上りリンクで送信するかという動作が曖昧（ａｍｂｉｇｕｉｔｙ）になる。
【０１４４】
よって、本発明では、以下の７−Ａ乃至７−Ｄの動作を考慮して、ＰＤＣＣＨオーダーに関するＲＡＣＨ動作を行うことができる。
【０１４５】
７−Ａ：基地局は、ＰＤＣＣＨオーダーを送信するとき、共にキャリアを指示してもよい。このキャリア情報は、ランダムアクセスプリアンブル（ｒａｎｄｏｍ  ａｃｃｅｓｓ  ｐｒｅａｍｂｌｅ）を送信する時間−周波数（ｔｉｍｅ  ｆｒｅｑｕｅｎｃｙ）リソースを通知するときに共に通知してもよい。キャリア情報は、２つのキャリアのうち１つを通知してもよく、２つとも送信するという意味で２つのキャリアを両方とも指示してもよい。
【０１４６】
７−Ｂ：ＵＥは、ランダムアクセスプリアンブル（ｒａｎｄｏｍ  ａｃｃｅｓｓ  ｐｒｅａｍｂｌｅ）を送信するとき、７−Ａ動作で指示されたキャリアで送信することができる。
【０１４７】
７−Ｃ：基地局は、これに対するランダムアクセス応答（ｒａｎｄｏｍ  ａｃｃｅｓｓ  ｒｅｓｐｏｎｓｅ）を送信する。このとき、さらにキャリア情報を与えて、７−Ｃ動作に対するａｃｋ／ｎａｃｋをＵＥが送信する７−Ｄ動作のためのキャリアを指定することができる。キャリア情報は、２つのキャリアのうち１つを通知してもよく、２つとも送信するという意味で２つのキャリアを両方とも指示してもよい。
【０１４８】
７−Ｄ：ＵＥは、７−Ｃ動作に対するａｃｋ／ｎａｃｋを送信するキャリアを７−Ｃ動作に従って指示された場合、当該キャリアで送信して、そうではない場合、７−Ｂ動作で送信したキャリアで送信する。
【０１４９】
第７の実施例において、７−Ａ動作及び７−Ｃ動作でキャリア情報を通知してもよいが、これを上位層シグナリング（例えば、ＲＲＣシグナリング）によって、ＵＥに７−Ｂ動作及び７−Ｄ動作の際にいずれのキャリアを送信するかを通知することができる。この場合、７−Ｂ動作及び７−Ｄ動作に対するキャリアをそれぞれ通知してもよく、同一のキャリアで送信すると仮定する場合、１つのキャリアのみ通知してもよい。また、２つのキャリアにおいて７−Ｂ動作及び７−Ｄ動作を行うことを通知してもよい。２つのキャリアにおいて７−Ｂ動作又は７−Ｄ動作を行うとき、それぞれの動作に対して２つのキャリアで繰り返して信号を送信してもよく、分割して２つのキャリアで送信してもよい。繰り返すか分割するかは、制御チャンネルによって通知してもよく、上位層シグナリング（例えば、ＲＲＣシグナリング）によって通知してもよい。
【０１５０】
第７の実施例では、７−Ａ動作乃至７−Ｄ動作において、ＰＤＣＣＨオーダー、ランダムアクセスプリアンブル（ｒａｎｄｏｍ  ａｃｃｅｓｓ  ｐｒｅａｍｂｌｅ）、ランダムアクセス応答（ｒａｎｄｏｍ  ａｃｃｅｓｓ  ｒｅｓｐｏｎｓｅ）などＬＴＥにおいて用いる具体的な用語で記述されている。しかしながら、同じ形式の動作であってもＮＲでは表現が異なり得るが、この場合にも本発明が適用できる。例えば、７−Ａ動作は、同期が取れないため同期をチェックするためのＲＡＣＨを送信するという動作を意味して、７−Ｂ動作は、７−Ａ動作によるＲＡＣＨ送信動作を意味して、７−Ｃ動作は、７−Ｂ動作のＲＡＣＨによってＴＡを通知する動作を意味して、７−Ｄ動作は、７−Ｃ動作に対するａｃｋ／ｎａｃｋ応答を意味する。
【０１５１】
さらに、追加ＵＬ環境では、下りリンクが１つ、上りリンクが２つであるため、いずれのＵＬでＰＵＳＣＨとＰＵＣＣＨを送信するかがイッシュである。簡単には、ＰＵＳＣＨとＰＵＣＣＨを１つのキャリアで送信して、そのキャリアを下りリンクＲＳＲＰ閾値によって決定するか、ＲＲＣ設定又はＭＡＣ  ＣＥによって基地局が指定してもよい。
【０１５２】
また、ＰＲＡＣＨ送信を下りリンクＲＳＲＰ閾値によって決定するか、ＲＲＣシグナリングで指定する場合、ＰＵＣＣＨとＰＵＳＣＨ送信を行うキャリアをＰＲＡＣＨ送信と同一のキャリアとすることもできる。
【０１５３】
＜第８の実施例＞
【０１５４】
第８の実施例では、ＲＲＣシグナリング又はＭＡＣ  ＣＥ（ＭＡＣ  Ｃｏｎｔｒｏｌ  Ｅｌｅｍｅｎｔ）によって送信するキャリアを指定する場合、ＲＲＣシグナリング又はＭＡＣ  ＣＥがＵＥに伝達され確認される時間までの時間区間が基地局からして曖昧（ａｍｂｉｇｕｏｕｓ）になる。よって、第８の実施例では、以下の８−Ａ動作乃至８−Ｃ動作のように動作することができる。
【０１５５】
ＰＵＣＣＨとＰＵＳＣＨ送信（又は、ＰＲＡＣＨ送信まで）を行うキャリアをＲＲＣ設定又はＭＡＣ  ＣＥでＵＥに指示する場合、ＲＲＣ設定又はＭＡＣ  ＣＥが送信された後、所定時間までの区間の間
【０１５６】
８−Ａ：現在使用中のキャリアを用いて、その後、指示されたキャリアに移動する。
【０１５７】
８−Ｂ：例えば、ＰＵＣＣＨ／ＰＵＳＣＨとＰＲＡＣＨを送信するキャリアが独立的（ｉｎｄｅｐｅｎｄｅｎｔ）に設定される場合、現在使用中のＰＲＡＣＨキャリアを用いて、その後、指示されたキャリアに移動する。
【０１５８】
８−Ｃ：予め指定されたキャリアを用いて、その後、指示されたキャリアに移動する。予め指定されたキャリアは、予め約束するか、ＲＲＣ設定又はＭＡＣ  ＣＥによって通知することができる。
【０１５９】
このように、１つのキャリアを用いる場合には、ＳＵＬ（ｓｕｐｐｌｅｍｅｎｔａｌ  ＵＬ）を下りリンクのような物理セルＩＤ（ｐｈｙｓｉｃａｌ  ｃｅｌｌ  ＩＤ）を利用することが望ましい。これは、２つのＵＬをタイムスイッチング（ｔｉｍｅ  ｓｗｉｔｃｈｉｎｇ）しながら使用するため、１つのＵＬとみなして運営できるためである。
【０１６０】
ここで、ＳＵＬとＤＬ／ＵＬは互いに異なるサブ−キャリアスペーシングを有するように設定されてもよい。よって、スケジュールされたＰＵＳＣＨタイミングとＨＡＲＱ  Ａｃｋ／Ｎａｃｋタイミングに変化が生じ得る。基本的に、２つのＵＬをタイムスイッチング（ｔｉｍｅ  ｓｗｉｔｃｈｉｎｇ）しながら使用する場合、ＤＬ／ＵＬ間に基準としてスケジューリングＰＵＳＣＨタイミングとＨＡＲＱ  Ａｃｋ／Ｎａｃｋタイミングを指示して、これをＳＵＬのための別の指示なく再解釈して用いる。これは、ＰＤＣＣＨ−ＰＵＳＣＨ又はＰＤＳＣＨ−ＰＵＣＣＨ間にかかる時間がＳＵＬとＵＬとで差がないと仮定する場合、同一のスケジューリングＰＵＳＣＨタイミング又はＨＡＲＱ  Ａｃｋ／Ｎａｃｋタイミングとすることが望ましいためである。そのために、ＵＬとＳＵＬとの間では互いに異なるスロット長を有するため、下りリンクのスロット長を基準としてスケジューリングＰＵＳＣＨタイミングとＨＡＲＱ  Ａｃｋ／Ｎａｃｋタイミングの指示だけ後ろに来るＳＵＬのスロットでスケジュールされたＰＵＳＣＨ又はＨＡＲＱ  Ａｃｋ／Ｎａｃｋを送信する。
【０１６１】
＜第９の実施例＞
【０１６２】
第９の実施例では、ＳＵＬにおいてＰＵＳＣＨ／ＰＵＣＣＨをＲＲＣ又はＭＡＣ  ＣＥで送信するキャリアを決定する場合、周期的上りリンク信号（ｅ．ｇ．  ｐｅｒｉｏｄｉｃ  ＣＳＩ）に対する曖昧さ（ａｍｂｉｇｕｉｔｙ）が生じ得る。仮に、周期的信号送信において、送信周期の間にキャリアが変更され、ＵＬとＳＵＬとが異なるニューマロロジー（ｎｕｍｅｒｏｌｏｇｙ）を有する場合、キャリアが変更された後、いずれのリソースでいずれのフォーマットで送信するかがＵＥとしては曖昧になり得る。よって、以下の９−Ａ乃至９−Ｃ動作が考えられる。
【０１６３】
９−Ａ：ＳＵＬにおいて周期的上りリンク信号送信のためのＰＵＳＣＨ又はＰＵＣＣＨ送信のためのキャリアが周期的上りリンク信号を送信している途中に変更される場合、キャリアが変更されたことによって、以前のキャリアで送信していた周期的上りリンク信号送信を新たなキャリアでは行わない。仮に、キャリアが、周期的上りリンク信号を送信していたキャリアに再び戻る場合、周期的上りリンク信号送信を再開する。
【０１６４】
９−Ｂ：ＳＵＬにおいて周期的上りリンク信号送信のためのＰＵＳＣＨ又はＰＵＣＣＨ送信のためのキャリアが周期的上りリンク信号を送信している途中に変更される場合、キャリアが変更されたものの、ほとんどの周期的上りリンク信号はキャリアのチャンネル従属的（ｄｅｐｅｎｄｅｎｔ）な送信（ＳＲＳは除く）ではないため、キャリアの変更には関係なく、周期的上りリンク信号の送信を続ける。この場合、基地局は、周期的上りリンク信号に対する設定（リソース設定、送信フォーマット設定）をＵＬとＳＵＬの２つのキャリアに対してＵＥに設定する必要がある。ＵＥは送信キャリアに応じて設定に合う周期的上りリンク信号の送信を行う。
【０１６５】
９−Ｃ．９−Ａ：ＳＵＬにおいて周期的上りリンク信号の送信のためのＰＵＳＣＨ又はＰＵＣＣＨ送信のためのキャリアが周期的上りリンク信号を送信している途中に変更される場合、キャリアが変更されたものの、以前のキャリアで送信していた周期的上りリンク信号の送信を以前のキャリアで続けて送信することもできる。
【０１６６】
さらに、ＳＵＬである場合、既に他のＲＡＴ又は帯域で使用中の帯域と共有（ｓｈａｒｅ）することができる。一方、セルＩＤ（ｃｅｌｌ  ＩＤ）は、現在のデータスクランブリング（ｄａｔａ  ｓｃｒａｍｂｌｉｎｇ）と参照信号シーケンスを生成するときに用いられるが、これは干渉任意化（ｉｎｔｅｒｆｅｒｅｎｃｅ  ｒａｎｄｏｍｉｚａｔｉｏｎ）のためである。この点を勘案すれば、ＳＵＬはネットワークの観点から現在共有（ｓｈａｒｅ）している帯域又はＲＡＴのセルＩＤ（ｃｅｌｌ  ＩＤ）を用いることが望ましい。
【０１６７】
図１２は、本発明の一実施例に適用可能な基地局及び端末を例示する図である。
【０１６８】
無線通信システムにリレーが含まれる場合、バックホールリンクにおける通信は、基地局とリレーとの間で行われ、アクセスリンクにおける通信は、リレーと端末との間で行われる。よって、図面に示された基地局又は端末は、状況に応じてリレーに取り替えられることができる。
【０１６９】
図１２を参照すれば、無線通信システムは、基地局（ＢＳ）１１０及び端末（ＵＥ）１２０を含む。基地局１１０は、プロセッサー１１２、メモリ１１４及び無線周波数（Ｒａｄｉｏ  Ｆｒｅｑｕｅｎｃｙ，ＲＦ）ユニット１１６を含む。プロセッサー１１２は、本発明において提案した過程及び／又は方法を具現するために構成される。メモリ１１４は、プロセッサー１１２と連結され、プロセッサー１１２の動作に関する様々な情報を記憶する。ＲＦユニット１１６は、プロセッサー１１２と連結され、無線信号を送信及び／又は受信する。端末１２０は、プロセッサー１２２、メモリ１２４及びＲＦユニット１２６を含む。プロセッサー１２２は、本発明において提案した過程及び／又は方法を具現するために構成される。メモリ１２４は、プロセッサー１２２と連結され、プロセッサー１２２の動作に関する様々な情報を記憶する。ＲＦユニット１２６は、プロセッサー１２２と連結され、無線信号を送信及び／又は受信する。基地局１１０及び／又は端末１２０は、単一アンテナ又は多重アンテナを有することができる。
【０１７０】
上述した実施例は、本発明の構成要素及び特徴を所定の形態に結合したものである。それぞれの構成要素又は特徴は別途の明示的言及がない限り選択的なものと見なすことができる。それぞれの構成要素又は特徴は他の構成要素又は特徴と結合しなかった形態に実施可能である。また、一部の構成要素及び／又は特徴を結合して本発明の実施例を構成することもできる。本発明の実施例で説明する動作の順序は変更可能である。一実施例の一部の構成又は特徴は他の実施例に含まれることができ、或いは他の実施例の対応する構成又は特徴に取り替えられることができる。特許請求の範囲で明示的な引用関係のない請求項を組み合せて実施例を構成するか、出願後の補正によって新しい請求項として含ませ得ることは自明である。
【０１７１】
本文書において基地局によって行われるとされている特定動作は、場合によっては、その上位ノード（ｕｐｐｅｒ  ｎｏｄｅ）によって行われてもよい。すなわち、基地局を含む複数のネットワークノード（ｎｅｔｗｏｒｋ  ｎｏｄｅ）からなるネットワークにおいて、端末との通信のために行われる様々な動作は、基地局、又は基地局以外の他のネットワークノードで行うことができる。このとき、基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に言い換えることができる。
【０１７２】
本発明による実施例は、様々な手段、例えば、ハードウェア、ファームウェア（ｆｉｒｍｗａｒｅ）、ソフトウェア又はこれらの組み合わせなどによって具現できる。ハードウェアによる具現の場合、本発明の実施例は、１つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサー、コントローラ、マイクロコントローラ、マイクロプロセッサーなどによって具現できる。
【０１７３】
ファームウェアやソフトウェアによる具現の場合、本発明の実施例は、上述した機能又は動作を行うモジュール、過程又は関数などの形態として具現できる。ソフトウェアコードは、メモリユニットに記憶されてプロセッサーによって駆動されることができる。
【０１７４】
メモリユニットは、プロセッサーの内部又は外部に位置することができ、既知の様々な手段によってプロセッサーとデータをやり取りすることができる。
【０１７５】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０１７６】
上述のような無線通信システムにおいて、ＬＴＥ及びＮＲに基づいた信号送受信の方法並びにそのための装置は、様々な無線通信システムに適用することができる。
【図１】
2020529786.tif 000021
【図２】
2020529786.tif 000022
【図３】
2020529786.tif 000023
【図４】
2020529786.tif 000024
【図５】
2020529786.tif 000025
【図６】
2020529786.tif 000026
【図７】
2020529786.tif 000027
【図８】
2020529786.tif 000028
【図９】
2020529786.tif 000029
【図１０】
2020529786.tif 000030
【図１１】
2020529786.tif 000031
【図１２】
2020529786.tif 000032
【手続補正書】
【提出日】令和2年2月6日(2020.2.6)
【手続補正１】
【補正対象書類名】明細書
【補正対象項目名】０００７
【補正方法】変更
【補正の内容】
【０００７】
本願発明の目的に対応しこれら及び他の優位な点を達成するため、上述した本発明の一態様によれば、無線通信システムにおいて、ＮＲ（Ｎｅｗ  Ｒａｄｉｏ  Ａｃｃｅｓｓ  Ｔｅｃｈｎｏｌｏｇｙ）ターミナルの信号送受信の方法は、ＰＤＣＣＨオーダー（Ｐｈｙｓｉｃａｌ  Ｄｏｗｎｌｉｎｋ  Ｃｏｎｔｒｏｌ  ＣＨａｎｎｅｌ  ｏｒｄｅｒ）を受信するステップと、前記ＰＤＣＣＨオーダーに対応してランダムアクセスプリアンブルを送信するステップと、を含む。この場合、前記ランダムアクセスプリアンブルは、所定の条件が満たされた時、前記ＰＤＣＣＨオーダーに含まれる上りリンクキャリアについての情報に基づいて決定される第１の上りリンクキャリアで送信される。前記所定の条件は、前記下りリンクキャリアに設定された前記第１の上りリンクキャリアを含む複数の上りリンクキャリアを含み、前記下りリンクキャリアのセルＩＤ（Ｉｄｅｎｔｉｆｉｃａｔｉｏｎ）と、前記複数の上りリンクキャリアのセルＩＤは同一である。
【手続補正２】
【補正対象書類名】明細書
【補正対象項目名】０００８
【補正方法】変更
【補正の内容】
【０００８】
また、前記複数の上りリンクキャリアは、第２の上りリンクキャリアを含み、前記第２の上りリンクキャリアは、前記ＮＲターミナルに追加的に割り当てられたＬＴＥ（Ｌｏｎｇ  Ｔｅｒｍ  Ｅｖｏｌｕａｔｉｏｎ）帯域と関連した補足的な上りリンクキャリアである。
【手続補正３】
【補正対象書類名】明細書
【補正対象項目名】０００９
【補正方法】変更
【補正の内容】
【０００９】
また、前記ランダムアクセスプリアンブルは、前記第１の上りリンクキャリアと前記第２の上りリンクキャリアが設定されない時、上位層により開始されたランダムアクセスプリアンブル送信と同一のサブキャリアスペーシングを介して送信される。
【手続補正４】
【補正対象書類名】明細書
【補正対象項目名】００１０
【補正方法】変更
【補正の内容】
【００１０】
また、前記方法は、上りリンク送信実行のための時間リソース及び周波数リソースのうち少なくとも１つが設定されるステップを含むか、上りリンク送信実行のためのパラメータを受信するステップをさらに含む。
【手続補正５】
【補正対象書類名】明細書
【補正対象項目名】００１２
【補正方法】変更
【補正の内容】
【００１２】
本願発明の目的に対応しこれら及び他の優位な点を達成するため、上述した本発明の別の態様によれば、無線通信システムにおいて、ＮＲ（Ｎｅｗ  Ｒａｄｉｏ  Ａｃｃｅｓｓ  Ｔｅｃｈｎｏｌｏｇｙ）ターミナルは、無線周波数ユニットと、前記無線周波数ユニットと結合したプロセッサーを含み、前記プロセッサーは、ＰＤＣＣＨオーダー（Ｐｈｙｓｉｃａｌ  Ｄｏｗｎｌｉｎｋ  Ｃｏｎｔｒｏｌ  ＣＨａｎｎｅｌ  ｏｒｄｅｒ）を下りリンクキャリアで受信し、前記ＰＤＣＣＨオーダーに応答して前記無線周波数（ＲＦ）ユニットがランダムアクセスプリアンブルを送信するように制御する。この場合、前記ランダムアクセスプリアンブルは前記ＰＤＣＣＨオーダーに含まれる上りリンクキャリアについての情報に基づいて決定される第１の上りリンクキャリアにより送信される。この場合、前記ランダムアクセスプリアンブルは、所定の条件が満たされた時、前記ＰＤＣＣＨオーダーに含まれる上りリンクキャリアについての情報に基づいて決定される第１の上りリンクキャリアで送信される。前記所定の条件は、前記下りリンクキャリアに設定された前記第１の上りリンクキャリアを含む複数の上りリンクキャリアを含み、前記下りリンクキャリアのセルＩＤ（Ｉｄｅｎｔｉｆｉｃａｔｉｏｎ）と、前記複数の上りリンクキャリアのセルＩＤは同一である。
【手続補正６】
【補正対象書類名】明細書
【補正対象項目名】００３３
【補正方法】変更
【補正の内容】
【００３３】
その後、ユーザ機器は基地局への接続を完了するために、その後、Ｓ３０３〜Ｓ３０６に従ってランダムアクセスの過程（Ｒａｎｄｏｍ  Ａｃｃｅｓｓ  Ｐｒｏｃｅｄｕｒｅ）を行うことができる。そのために、端末は物理ランダムアクセスチャンネル（Ｐｈｙｓｉｃａｌ  Ｒａｎｄｏｍ  Ａｃｃｅｓｓ  Ｃｈａｎｎｅｌ，ＰＲＡＣＨ）でプリアンブル（ｐｒｅａｍｂｌｅ）を送信し（Ｓ３０３）、物理下りリンク制御チャンネル及びそれに対応する物理下りリンク共有チャンネルでプリアンブルに対する応答メッセージを受信することができる（Ｓ３０４）。競合ベースのランダムアクセスでは、更なる物理ランダムアクセスチャンネルの送信（Ｓ３０５）、及び物理下りリンク制御チャンネル及びそれに対応する物理下りリンク共有チャンネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【手続補正７】
【補正対象書類名】明細書
【補正対象項目名】０１４５
【補正方法】変更
【補正の内容】
【０１４５】
７−Ａ：基地局は、ＰＤＣＣＨオーダーをＵＥへ送信するとき、共にキャリアを指示してもよい。このキャリア情報は、ランダムアクセスプリアンブル（ｒａｎｄｏｍ  ａｃｃｅｓｓ  ｐｒｅａｍｂｌｅ）を送信する時間−周波数（ｔｉｍｅ  ｆｒｅｑｕｅｎｃｙ）リソースを送信するときに共に通知してもよい。キャリア情報は、信号が２つのキャリアの両方を送信できるように、２つのキャリアを両方とも指示してもよい。
【手続補正８】
【補正対象書類名】明細書
【補正対象項目名】０１４７
【補正方法】変更
【補正の内容】
【０１４７】
７−Ｃ：基地局は、ランダムアクセスプリアンブルに対するランダムアクセス応答（ｒａｎｄｏｍ  ａｃｃｅｓｓ  ｒｅｓｐｏｎｓｅ）をＵＥへ送信する。このとき、基地局は、端末にさらにキャリア情報を送信し、７−Ｃ動作に対するａｃｋ／ｎａｃｋをＵＥが送信する７−Ｄ動作実行のためのキャリアを指定するためにＵＥへキャリア情報を追加的に送信することができる。キャリア情報は、２つのキャリアのうち１つを通知してもよく、信号が２つのキャリアの両方で送信できるように２つのキャリアの両方を示すことができる。
【手続補正９】
【補正対象書類名】明細書
【補正対象項目名】０１５０
【補正方法】変更
【補正の内容】
【０１５０】
第７の実施例では、７−Ａ動作乃至７−Ｄ動作は、ＰＤＣＣＨオーダー、ランダムアクセスプリアンブル（ｒａｎｄｏｍ  ａｃｃｅｓｓ  ｐｒｅａｍｂｌｅ）、ランダムアクセス応答（ｒａｎｄｏｍ  ａｃｃｅｓｓ  ｒｅｓｐｏｎｓｅ）などのＬＴＥにおいて用いる具体的な用語で記述されている。しかしながら、同じ形式の動作であってもＮＲでは表現が異なることがあり、本発明が前記動作にも適用できる。例えば、７−Ａ動作は、同期が取れない時、同期をチェックするためのＲＡＣＨの送信に応答できる。７−Ｂ動作は、７−Ａ動作によるＲＡＣＨ送信動作に応答できる。７−Ｃ動作は、７−Ｂ動作のＲＡＣＨによってＴＡを示す動作に応答できる。７−Ｄ動作は、７−Ｃ動作に対するａｃｋ／ｎａｃｋ応答を送信する動作に対応できる。
【手続補正１０】
【補正対象書類名】明細書
【補正対象項目名】０１５２
【補正方法】変更
【補正の内容】
【０１５２】
前記ＰＲＡＣＨ送信が下りリンクＲＳＲＰ閾値にしたがって決定されるか、または、ＲＲＣシグナリングにより指定される場合、ＰＵＣＣＨとＰＵＳＣＨ送信を行うキャリアは、ＰＲＡＣＨ送信のためにも利用することができる。
【手続補正１１】
【補正対象書類名】明細書
【補正対象項目名】０１５９
【補正方法】変更
【補正の内容】
【０１５９】
このように、１つのキャリアを用いる場合には、ＳＵＬ（ｓｕｐｐｌｅｍｅｎｔａｌ  ＵＬ）の物理セルＩＤ（ｐｈｙｓｉｃａｌ  ｃｅｌｌ  ＩＤ）はＤＬの物理セルＩＤと同一であることが望ましい。これは、２つのＵＬをタイムスイッチング（ｔｉｍｅ  ｓｗｉｔｃｈｉｎｇ）しながら実行ため、２つのＵＬは、１つのＵＬとみなして運営できるためである。
【手続補正１２】
【補正対象書類名】明細書
【補正対象項目名】０１６０
【補正方法】変更
【補正の内容】
【０１６０】
ここで、ＳＵＬとＤＬ／ＵＬは異なるサブ−キャリアスペーシングを有するように設定されてもよい。よって、スケジュールされたＰＵＳＣＨタイミングとＨＡＲＱ  Ａｃｋ／Ｎａｃｋタイミングに変化が生じ得る。基本的には、２つのＵＬがタイムスイッチング（ｔｉｍｅ  ｓｗｉｔｃｈｉｎｇ）を介して利用される時、スケジューリングＰＵＳＣＨタイミングとＨＡＲＱ  Ａｃｋ／ＮａｃｋタイミングがＤＬ／ＵＬ間の基準として指示され、これをＳＵＬのための別の指示なく再解釈して用いる。これは、ＰＤＣＣＨとＰＵＳＣＨの間又はＰＤＳＣＨとＰＵＣＣＨの間にかかる時間がＵＬでのＳＵＬで差がないと仮定する場合、同一のスケジューリングＰＵＳＣＨタイミング又はＨＡＲＱ  Ａｃｋ／Ｎａｃｋタイミングを利用することが望ましいためである。そのために、ＵＬとＳＵＬとの間では異なるスロット長を有するため、下りリンク（ＤＬ）のスロット長を基準としてスケジューリングＰＵＳＣＨタイミングの指示とＨＡＲＱ  Ａｃｋ／Ｎａｃｋタイミングの指示だけ後ろに来るＳＵＬのスロットで、スケジュールされたＰＵＳＣＨ又はＨＡＲＱ  Ａｃｋ／Ｎａｃｋを送信する。
【手続補正１３】
【補正対象書類名】特許請求の範囲
【補正対象項目名】全文
【補正方法】変更
【補正の内容】
【特許請求の範囲】
【請求項１】
無線通信システムにおいて、ＮＲ（Ｎｅｗ  Ｒａｄｉｏ  Ａｃｃｅｓｓ  Ｔｅｃｈｎｏｌｏｇｙ）ターミナルの信号送受信の方法であって、
下りリンクキャリアでＰＤＣＣＨオーダー（Ｐｈｙｓｉｃａｌ  Ｄｏｗｎｌｉｎｋ  Ｃｏｎｔｒｏｌ  ＣＨａｎｎｅｌ  ｏｒｄｅｒ）を受信するステップと、
前記ＰＤＣＣＨオーダーに対応してランダムアクセスプリアンブル（ｒａｎｄｏｍ  ａｃｃｅｓｓ  ｐｒｅａｍｂｌｅ）を送信するステップを含み、
前記ランダムアクセスプリアンブルは、所定の条件を満たす時、前記ＰＤＣＣＨオーダーに含まれる上りリンクキャリアについての情報に基づいて決定された第１の上りリンクキャリアで送信され、
前記所定の条件は、前記下りリンクキャリアに対して設定される前記第１の上りリンクキャリアを含む複数の上りリンクキャリアを含み、
前記下りリンクキャリアのセルＩＤ（Ｉｄｅｎｔｉｆｉｃａｔｉｏｎ）と前記複数の上りリンクキャリアのセルＩＤは同一である、方法。  
【請求項２】
前記複数の上りリンクキャリアは、第２の上りリンクキャリアを含み、
前記第２の上りリンクキャリアは、前記ＮＲターミナルに追加的に割当てられた、ＬＴＥ（Ｌｏｎｇ  Ｔｅｒｍ  Ｅｖｏｌｕａｔｉｏｎ）帯域に関連した追加の上りリンクキャリアである、請求項１に記載の方法。
【請求項３】
前記ランダムアクセスプリアンブルは、前記第１の上りリンクキャリアと前記第２の上りリンクキャリアが設定されない時、上位層により開始されたランダムアクセスプリアンブル送信と同一のサブキャリアスペーシングを介して送信される、請求項２に記載の方法。  
【請求項４】
上りリンク送信を実行するための時間リソース及び周波数リソースのうち少なくとも１つが設定されるステップをさらに含む、請求項１に記載の方法。
【請求項５】
上りリンク送信を実行するためのパラメータを受信するステップをさらに含む、請求項１に記載の方法。
【請求項６】
前記ＰＤＣＣＨオーダーは、
下りリンク制御情報を用いて受信される、請求項１に記載の方法。
【請求項７】
無線通信システムにおける、ＮＲ（Ｎｅｗ  Ｒａｄｉｏ  Ａｃｃｅｓｓ  Ｔｅｃｈｎｏｌｏｇｙ）ターミナル（ｔｅｒｍｉｎａｌ）であって、
無線周波数ユニットと、
前記無線周波数ユニットと結合したプロセッサーを含み、
前記プロセッサーは、
前記無線周波数ユニットが、下りリンクキャリアでＰＤＣＣＨオーダー（Ｐｈｙｓｉｃａｌ  Ｄｏｗｎｌｉｎｋ  Ｃｏｎｔｒｏｌ  ＣＨａｎｎｅｌ  ｏｒｄｅｒ）を受信し、
前記無線周波数ユニットが、前記ＰＤＣＣＨオーダーに応答して、ランダムアクセスプリアンブル（ｒａｎｄｏｍ  ａｃｃｅｓｓ  ｐｒｅａｍｂｌｅ）を送信するように制御するように構成され、
前記ランダムアクセスプリアンブルは、所定の条件を満たす時、前記ＰＤＣＣＨオーダーに含まれる上りリンクキャリアについての情報に基づいて決定された第１の上りリンクキャリアで送信され、
前記所定の条件は、前記下りリンクキャリアに対して設定される前記第１の上りリンクキャリアを含む複数の上りリンクキャリアを含み、
前記下りリンクキャリアのセルＩＤ（Ｉｄｅｎｔｉｆｉｃａｔｉｏｎ）と前記複数の上りリンクキャリアのセルＩＤは同一である、ＮＲターミナル。
【請求項８】
前記複数の上りリンクキャリアは、第２の上りリンクキャリアを含み、
前記第２の上りリンクキャリアは前記ＮＲターミナルに追加的に割当てられた、ＬＴＥ（Ｌｏｎｇ  Ｔｅｒｍ  Ｅｖｏｌｕａｔｉｏｎ）帯域に関連した追加の上りリンクキャリアである、請求項７に記載のＮＲターミナル。
【請求項９】
前記ランダムアクセスプリアンブルは、前記第１の上りリンクキャリアと前記第２の上りリンクキャリアが設定されない時、上位層により開始されたランダムアクセスプリアンブル送信と同一のサブキャリアスペーシングを介して送信される、請求項８に記載のＮＲターミナル。
【請求項１０】
前記プロセッサーは、
上りリンク送信を実行するための時間リソース及び周波数リソースのうち少なくとも１つが設定されるようにさらに構成された、請求項７に記載のＮＲターミナル。
【請求項１１】
前記プロセッサーは、
上りリンク送信のためのパラメータを受信するようにさらに構成された、請求項７に記載のＮＲターミナル。
【請求項１２】
前記ＰＤＣＣＨオーダーは、
下りリンク制御情報を用いて受信される、請求項７に記載のＮＲターミナル。
【国際調査報告】
2020529786.tif 000033
2020529786.tif 000034
2020529786.tif 000035
2020529786.tif 000036